(57)【特許請求の範囲】
【請求項１】
コンピュータに、
表示オブジェクトが所定の位置間で移動可能に構成されたスライドスイッチの表示部への表示を制御することと、
前記表示オブジェクトを移動させる操作を受けつけると、撮像部が所定のモードで撮影制御するよう指示することと、
前記表示オブジェクトを移動させる操作を受け付ける第１の操作部とは異なる、前記撮像部を操作するための第２の操作部を介した操作を受けて、前記表示オブジェクトを移動させることと、
を実行させる、プログラム。
【請求項２】
複数の前記所定の位置のうちいずれかの位置を第１の位置として、当該第１の位置から、当該複数の位置のうち前記第１の位置とは異なる第２の位置へ、前記表示オブジェクトを移動させる操作を受けて、前記モードに基づく前記撮像部の動作の制御を開始する、請求項１に記載のプログラム。
【請求項３】
前記第２の位置から前記第１の位置へ前記表示オブジェクトを移動させる操作を受けて、開始された前記モードに基づく前記撮像部の動作の制御を終了する、請求項２に記載のプログラム。
【請求項４】
前記第２の操作部を介した、前記モードに基づく前記撮像部の動作の制御を開始するための操作を受けて、前記第１の位置に位置する前記表示オブジェクトが、前記第２の位置に移動するよう制御する、請求項２または３に記載のプログラム。
【請求項５】
前記第２の操作部を介した、開始された前記モードに基づく前記撮像部の動作の制御を終了するための操作を受けて、前記第２の位置に位置する前記表示オブジェクトが、前記第１の位置に移動するように制御する、請求項２または３に記載のプログラム。
【請求項６】
前記表示オブジェクトが選択される操作を受けて、前記撮像部が撮影準備状態に遷移するよう指示し、
前記選択された表示オブジェクトを移動させる操作を受けて、前記所定のモードに基づき、前記撮像部への画像の撮像を指示する、請求項１〜５のいずれか一項に記載のプログラム。
【請求項７】
前記撮影準備状態は、フォーカス制御が実行される状態である、請求項６に記載のプログラム。
【請求項８】
前記モードは、操作部を介したユーザからの指示に基づき事前に設定される、請求項１〜７のいずれか一項に記載のプログラム。
【請求項９】
前記スライドスイッチは、前記第１の位置と、複数の前記第２の位置とのそれぞれの間を、前記表示オブジェクトが移動可能に構成され、
前記第２の位置それぞれには、複数の前記モードのうちいずれかのモードがあらかじめ関連付けられ、
前記第１の位置から前記複数の第２の位置のうちのいずれかへ前記表示オブジェクトを移動させる操作を受けて、当該表示オブジェクトの移動先となる前記第２の位置に関連付けられた前記モードに基づき、前記撮像部の動作を制御する、請求項２〜５のいずれか一項に記載のプログラム。
【請求項１０】
前記スライドスイッチは、前記表示オブジェクトが、第１の軸に沿って配置された複数の位置の間と、当該第１の軸とは異なる第２の軸に沿って配置された複数の位置の間とを移動可能に構成され、
前記第１の軸に沿って配置された前記位置へ前記表示オブジェクトを移動させる操作を受けた場合と、前記第２の軸に沿って配置された前記位置へ前記表示オブジェクトを移動させる操作を受けた場合とで、互いに異なるモードに基づき、前記撮像部の動作を制御する、請求項１〜９のいずれか一項に記載のプログラム。
【請求項１１】
前記モードは、前記撮像部に、複数枚の静止画像を一連の画像として連続して撮像させるモードを含む、請求項１〜１０のいずれか一項に記載のプログラム。
【請求項１２】
前記モードは、前記撮像部に、露光の開始及び終了を指示可能なバルブ撮影を実行させるモードを含む、請求項１〜１０のいずれか一項に記載のプログラム。
【請求項１３】
前記モードは、前記撮像部に、動画像を撮像させるモードを含む、請求項１〜１０のいずれか一項に記載のプログラム。
【請求項１４】
前記コンピュータにネットワークを介して接続された外部装置に設けられた前記撮像部の動作を、当該ネットワークを介して制御する、請求項１〜１３のいずれか一項に記載のプログラム。
【請求項１５】
前記コンピュータと同一筐体内に設けられた前記撮像部の動作を制御する、請求項１〜１３のいずれか一項に記載のプログラム。
【請求項１６】
互いに隣接する前記位置のうち一方の位置から他方の位置に向けた方向へ前記表示オブジェクトを移動させる操作を受けて、当該表示オブジェクトの移動量が閾値未満の場合には、当該表示オブジェクトを前記一方の位置へ移動させる、請求項１〜１５のいずれか一項に記載のプログラム。
【請求項１７】
前記撮像部により撮像された画像のデータを記録する装置に対して着脱可能に構成された可搬性の補助記憶媒体の、当該装置に対する着脱状態に応じて、前記スライドスイッチの表示を制御する、請求項１〜１６のいずれか一項に記載のプログラム。
【請求項１８】
表示オブジェクトが所定の位置間で移動可能に構成されたスライドスイッチの表示部への表示を制御する表示制御部と、
前記表示オブジェクトを移動させる操作を受けつけると、撮像部が所定のモードで撮影制御するよう指示する処理制御部と、
を備えた、情報処理装置。
【請求項１９】
表示オブジェクトが所定の位置間で移動可能に構成されたスライドスイッチの表示部への表示を制御することと、
プロセッサが、前記表示オブジェクトを移動させる操作を受けつけて、撮像部が所定のモードで撮影制御するよう指示することと、
前記表示オブジェクトを移動させる操作を受け付ける第１の操作部とは異なる、前記撮像部を操作するための第２の操作部を介した操作を受けて、前記表示オブジェクトを移動させることと、
を含む、情報処理方法。
【発明の詳細な説明】
【技術分野】
【０００１】
本開示は、情報処理装置、プログラム、及び情報処理方法に関する。
【背景技術】
【０００２】
デジタルスチルカメラやデジタルビデオカメラ（以降では、総じて「デジタルカメラ」と呼ぶ場合がある）等のデバイスの中には、無線のネットワークを介してスマートフォンのような情報処理端末に接続可能なものがある。このように、異なる機器間を無線のネットワークを介して接続するための通信規格として、例えば、Ｗｉ−Ｆｉ（Wireless  Fidelity）（登録商標）等が挙げられる。【０００３】
また、近年では、情報処理端末とデジタルカメラ等の撮像装置とをネットワークを介して接続することで、当該情報処理端末を介して当該撮像装置を操作するための機能が提供されている。このような機能の提供に伴い、当該撮像装置の中には、ネットワークを介して接続された情報処理端末が主なＵＩ（ユーザインタフェース）として利用されることを前提として、当該撮像装置自体に設けられた入出力インタフェースが制限された（例えば、簡素化もしくは排除された）ものも提供されてきている。
【先行技術文献】
【特許文献】
【０００４】
【特許文献１】特開２００９−２５５８２号公報
【発明の概要】
【発明が解決しようとする課題】
【０００５】
デジタルカメラ等の撮像装置では、シャッターボタンを途中まで押し込まれた状態（所謂、半押し状態）、シャッターボタンが最後まで押し込まれた状態（所謂、全押し状態）、及びシャッターボタンが押されていない状態により、所定の動作の開始及び終了を制御している場合がある。【０００６】
例えば、オートフォーカス（ＡＦ：Autofocus）機能を動作させたうえで複数の静止画像を撮像する場合（所謂、連写の場合）には、撮像装置は、半押し状態でＡＦ機能を動作させ、全押し状態に移行することで画像の撮像、即ち、連写を開始する。そして、当該撮像装置は、全押し状態が保持される限りは開始した連写を継続し、全押し状態の解除、即ち、シャッターボタンが押されていない状態への遷移に伴い、継続中の連写を終了する。【０００７】
一方で、情報処理端末を介して撮像装置を操作する場合には、シャッターボタンのような所謂ボタン型のインタフェースに限らず、当該情報処理端末のタッチパネル等のインタフェースを、当該撮像装置を操作するためのＵＩとして利用する場合がある。そのため、タッチパネルを介した操作等のような、ＧＵＩ（Graphical  User  Interface）を介した操作においても、上記に示したシャッターボタンを介した操作のように、撮像装置に対して所定の動作（例えば、連写）の開始及び終了を、直感的な操作により指示することが可能な仕組みが求められている。【０００８】
そこで、本開示では、ＧＵＩを介した操作により撮像装置に対して所定の動作の開始及び終了を指示することが可能な、情報処理装置、プログラム、及び情報処理方法を提案する。
【課題を解決するための手段】
【０００９】
本開示によれば、表示オブジェクトが所定の位置間で移動可能に構成されたスライドスイッチの表示部への表示を制御する表示制御部と、前記表示オブジェクトを移動させる操作を受けつけると、撮像部が所定のモードで撮影制御するよう指示する処理制御部と、を備えた、情報処理装置が提供される。【００１０】
また、本開示によれば、コンピュータに、表示オブジェクトが所定の位置間で移動可能に構成されたスライドスイッチの表示部への表示を制御することと、前記表示オブジェクトを移動させる操作を受けつけると、撮像部が所定のモードで撮影制御するよう指示することと、を実行させる、プログラムが提供される。【００１１】
また、本開示によれば、表示オブジェクトが所定の位置間で移動可能に構成されたスライドスイッチの表示部への表示を制御することと、プロセッサが、前記表示オブジェクトを移動させる操作を受けつけて、撮像部が所定のモードで撮影制御するよう指示することと、を含む、情報処理方法が提供される。
【発明の効果】
【００１２】
以上説明したように本開示によれば、ＧＵＩを介した操作により撮像装置に対して所定の動作の開始及び終了を指示することが可能な、情報処理装置、プログラム、及び情報処理方法が提供される。【００１３】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】本開示の第１の実施形態に係る情報処理システムの概略的なシステム構成の一例について説明するための説明図である。
【図２】入出力インタフェースが制限された撮像装置の一例について説明するための説明図である。
【図３】同実施形態に係る情報処理システムの機能構成の一例について示したブロック図である。
【図４】同実施形態に係る情報処理端末のハードウェア構成の一例を示した図である。
【図５】ＧＵＩを介した操作により、撮像装置に、ＡＦ機能を動作させたうえで１枚の静止画像を撮像させる場合の操作画面の一例について説明するための説明図である。
【図６】ＧＵＩを介した操作により、撮像装置に、ＡＦ機能を動作させたうえで１枚の静止画像を撮像させる場合の操作方法の一例について説明するための説明図である。
【図７】ＧＵＩを介した操作により、撮像装置に、ＡＦ機能を動作させたうえで複数の静止画像を一連の画像として撮像させるための操作画面の一例について説明するための説明図である。
【図８】ＧＵＩを介した操作により、撮像装置に、ＡＦ機能を動作させたうえで複数の静止画像を一連の画像として撮像させる場合の操作方法の一例について説明するための説明図である。
【図９】操作画面中におけるスライドスイッチの表示位置の一例について説明するための説明図である。
【図１０】ユーザ操作に基づくスライドスイッチの表示制御と、当該表示制御に伴う情報処理端末の動作の一例について説明するための説明図である。
【図１１】ユーザ操作に基づくスライドスイッチの表示制御と、当該表示制御に伴う情報処理端末の動作の一例について説明するための説明図である。
【図１２】本開示の第２の実施形態に係る情報処理システムの一連の処理の流れの一例について説明するための説明図である。
【図１３】実施例２−１に係るスライドスイッチの一例を示した図である。
【図１４】実施例２−１に係るスライドスイッチの一例を示した図である。
【図１５Ａ】実施例２−１に係るスライドスイッチの一例を示した図である。
【図１５Ｂ】実施例２−１に係るスライドスイッチの一例を示した図である。
【図１５Ｃ】実施例２−１に係るスライドスイッチの一例を示した図である。
【図１６】実施例２−２に係る情報処理端末の動作の一例について説明するための説明図である。
【図１７】実施例２−２に係る情報処理端末の動作の一例について説明するための説明図である。
【図１８】本開示の第３の実施形態に係る情報処理システム１の概要について説明するための説明図である。
【図１９】同実施形態に係る情報処理システムの一連の処理の流れの一例について説明するための説明図である。
【図２０】実施例３に係る情報処理システムの概要について説明するための説明図である。
【発明を実施するための形態】
【００１５】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１６】
なお、説明は以下の順序で行うものとする。
１．第１の実施形態
１．１．システム構成
１．２．機能構成
１．３．ハードウェア構成
１．４．まとめ
２．第２の実施形態
２．１．概要
２．２．操作画面の構成と操作方法
２．３．処理
２．４．実施例
２．４．１．実施例２−１：スライドスイッチの一例
２．４．２．実施例２−２：撮像装置側の操作部との連携
２．５．まとめ
３．第３の実施形態
３．１．概要
３．２．処理
３．３．実施例３
３．４．まとめ
４．まとめ
【００１７】
＜１．第１の実施形態＞
［１．１．システム構成］
まず、図１を参照して、本開示の第１の実施形態に係る情報処理システムの概略構成について説明する。図１は、本実施形態に係る情報処理システム１の概略的なシステム構成の一例について説明するための説明図である。
【００１８】
図１に示すように、本実施形態に係る情報処理システム１は、情報処理端末１０と撮像装置３０とを含む。撮像装置３０は、所謂デジタルカメラのように、静止画像や動画像等の画像を撮像するための装置に相当する。また、情報処理端末１０は、所謂スマートフォンのようなユーザ端末に相当する。
【００１９】
情報処理端末１０と撮像装置３０とは、無線のネットワークｎ１１を介して互い通信可能に接続されている。ネットワークｎ１１の具体的な一例としては、Ｗｉ−Ｆｉ（登録商標）規格に基づくネットワークが挙げられる。例えば、Ｗｉ−Ｆｉ（登録商標）規格に基づくネットワークｎ１１を適用する場合には、情報処理端末１０と撮像装置３０とのうちのいずれか一方がアクセスポイントとして動作し、他方がステーションとして当該一方に接続する。
【００２０】
特に、本実施形態に係る情報処理端末１０は、ネットワークｎ１１を介して接続された撮像装置３０の動作（例えば、画像の撮像に係る動作）を制御可能に構成されている。即ち、撮像装置３０は、ネットワークｎ１１を介して情報処理端末１０から送信された指示に基づき、動画像や静止画像のような画像を撮像することが可能である。なお、本機能は、例えば、ネットワークを介して撮像装置３０の動作を制御するためのＡＰＩ（Application  Programming  Interface）を利用して作成されたアプリケーションを、情報処理端末１０にインストールすることで実現され得る。もちろん、上記機能を実現するためのアプリケーションを、情報処理端末１０にあらかじめ組み込んでいてもよい。
【００２１】
なお、以降では、情報処理端末１０がスマートフォンの場合を例に説明するが、当該情報処理端末１０は、必ずしもスマートフォンには限定されない。具体的な一例として、リモートコントローラ等のような、無線のネットワークを介して撮像装置３０と接続可能な装置を、情報処理端末１０として適用してもよい。
【００２２】
このような構成により、撮像装置３０として、入出力インタフェースが制限された（例えば、簡素化もしくは排除された）機器を利用することが可能となる。例えば、図１及び図２では、入出力インタフェースが制限された撮像装置３０の一例を示している。図２に示す例では、撮像装置３０は、画像の撮像に係る操作のためのインタフェースとして、情報処理端末１０を利用することを前提として、液晶ディスプレイのような出力インタフェースが排除され、操作インタフェースも制限されている。
【００２３】
また、撮像装置３０は、情報処理端末１０に対して着脱可能に構成されていてもよい。具体的な一例として、図２に示す例では、情報処理端末１０に対して撮像装置３０を固定（または保持）するためのアタッチメントを、情報処理端末１０もしくは撮像装置３０に設けることで、情報処理端末１０に対して撮像装置３０を取り付けられるように構成されている。
【００２４】
このように、情報処理端末１０に対して撮像装置３０を取り付けることで、ユーザは、当該撮像装置３０を、入出力インタフェースが制限されていない所謂デジタルカメラと同様に使用することが可能となる。
【００２５】
また、他の一例として、ネットワークｎ１１を介して接続された撮像装置３０と情報処理端末１０とが、互いに離間した状態（即ち、情報処理端末１０に対して撮像装置３０が取り付けられていない状態）で使用されてもよい。このように、撮像装置３０と情報処理端末１０とが互いに離間した状態で使用されることで、当該撮像装置３０と情報処理端末１０とは、お互いに物理的な位置の制約を受けずに動作することも可能である。
【００２６】
なお、図１及び図２に示す撮像装置３０の例は、あくまで一例であり、必ずしも、本実施形態に係る撮像装置３０の構成を限定するものではない。即ち、ネットワークｎ１１を介して情報処理端末１０と通信可能であれば、撮像装置３０として、例えば、液晶ディスプレイ等の入出力インタフェースを備えた、一般的な撮像装置を使用してもよい。
【００２７】
［１．２．機能構成］
次に、図３を参照して、本実施形態に係る情報処理システム１の機能構成の一例について説明する。図３は、本実施形態に係る情報処理システム１の機能構成の一例について示したブロック図である。図３に示すように、情報処理端末１０は、制御部１１と、通信部１３と、ＵＩ１５とを含む。また、撮像装置３０は、制御部３１と、通信部３３と、撮像部３５と、記憶部３７と、操作部３９とを含む。
【００２８】
通信部１３は、情報処理端末１０内の各構成が、無線のネットワークｎ１１を介して、撮像装置３０と通信を行うための通信インタフェースである。ネットワークｎ１１の具体的な一例としては、前述したように、Ｗｉ−Ｆｉ（登録商標）規格に基づくネットワークが挙げられる。
【００２９】
なお、以降では、情報処理端末１０内の各構成が、ネットワークｎ１１を介して撮像装置３０との間でデータを送受信する場合には、特に説明が無い場合においても、通信部１３を介して当該データの送受信を行うものとする。
【００３０】
ＵＩ１５は、ユーザが情報処理端末１０を操作するためのユーザインタフェースである。ＵＩ１５は、例えば、ディスプレイ等のように情報処理端末１０がユーザに対して情報を提示するための表示部１５１と、ボタンやタッチパネル等のようにユーザが情報処理端末１０を操作するための操作部１５３とを含んでもよい。
【００３１】
制御部１１は、ネットワークｎ１１を介して接続された撮像装置３０の動作を制御可能に構成されている。制御部１１は、処理実行部１１１と、表示制御部１１３とを含む。
【００３２】
処理実行部１１１は、操作部１５３を介したユーザからの指示に応じて、ネットワークｎ１１を介して撮像装置３０を操作するためのＡＰＩに基づき生成されたアプリケーションを実行することで、当該撮像装置３０の動作を制御する。なお、処理実行部１１１が、「処理制御部」の一例に相当する。
【００３３】
表示制御部１１３は、ネットワークｎ１１を介して撮像装置３０を操作するためのコンポーネント（ＧＵＩ：Graphical  User  Interface）が提示された操作画面を表示部１５１に表示させる。また、表示制御部１１３は、撮像装置３０により撮像された画像を、ネットワークｎ１１を介して当該撮像装置３０から取得し、取得した画像を表示部１５１に表示させる。なお、表示制御部１１３のうち、撮像装置３０から画像を取得する構成が、「取得部」の一例に相当する。
【００３４】
具体的な一例として制御部１１は、ＵＩ１５を介したユーザからの指示に基づき、ネットワークｎ１１を介して撮像装置３０に画像の撮像を指示してもよい。この場合には、制御部１１は、当該指示に対する応答として、撮像された画像を、ネットワークｎ１１を介して撮像装置３０から取得してもよい。また、制御部１１は、撮像装置３０から取得した画像を、ＵＩ１５を介してユーザに提示してもよい。
【００３５】
特に、本開示に係る制御部１１は、連続撮影（所謂、連写）やブラケット撮影のように、撮像装置３０に、複数枚の静止画像を一連の画像として撮像させてもよい。ここで、ブラケット撮影とは、露出、ホワイトバランス、及びＩＳＯ感度等の撮像条件を変えながら複数枚の静止画像を撮像する撮像方法を示している。また、本開示に係る制御部１１は、撮像装置３０に、動画像を一連の画像として撮像させてもよい。
【００３６】
なお、制御部１１が、撮像装置３０に動画像や複数の静止画像を一連の画像として撮像させるために、表示部１５１を介してユーザに提示する操作画面については、第２の実施形態として詳細を後述する。また、制御部１１が、撮像装置３０により撮像された一連の画像を、表示部１５１を介してユーザに提示する方法の一例については、第３の実施形態として詳細を後述する。
【００３７】
また、制御部１１は、ＵＩ１５を介したユーザからの指示に基づき、ネットワークｎ１１を介して撮像装置３０にスルー画像の出力を指示してもよい。この場合には、制御部１１は、当該指示に対する応答として、撮像されたスルー画像を、ネットワークｎ１１を介して撮像装置３０から逐次取得する。そして、制御部１１は、取得したスルー画像を、ＵＩ１５を介してユーザに逐次提示してもよい。
【００３８】
また、制御部１１は、撮像装置３０に保持された各種情報を、ネットワークｎ１１を介して参照または更新してもよい。具体的な一例として、制御部１１は、撮像装置３０に保持された撮像条件などの各種設定を示す情報を、ネットワークｎ１１を介して当該撮像装置３０から取得し、取得した当該情報を、ＵＩ１５を介してユーザに提示してもよい。また、制御部１１は、ＵＩ１５を介したユーザからの指示に基づき、撮像装置３０に保持された各種設定を示す情報の更新を、ネットワークｎ１１を介して当該撮像装置３０に指示してもよい。
【００３９】
通信部３３は、撮像装置３０内の各構成が、無線のネットワークｎ１１を介して、情報処理端末１０と通信を行うための通信インタフェースである。ネットワークｎ１１の具体的な一例としては、前述したように、Ｗｉ−Ｆｉ（登録商標）規格に基づくネットワークが挙げられる。
【００４０】
なお、以降では、撮像装置３０内の各構成が、ネットワークｎ１１を介して情報処理端末１０との間でデータを送受信する場合には、特に説明が無い場合においても、通信部３３を介して当該データの送受信を行うものとする。
【００４１】
撮像部３５は、イメージセンサを備え、後述する制御部３１からの指示に基づき、被写体の静止画像または動画像などの画像を撮像する。当該イメージセンサは、例えば、ＣＭＯＳ（Complementary  Metal-Oxide  Semiconductor）イメージセンサやＣＣＤ（Charge  Coupled  Device）イメージセンサ等の、被写体を撮像し、撮像画像のデジタルデータを得る撮像素子である。撮像部３５は、撮像した画像を記憶部３７に記録してもよい。また、撮像部３５は、撮像した画像を制御部３１に直接出力してもよい。
【００４２】
また、撮像部３５は、制御部３１からの指示された撮像条件に基づき、画像を撮像してもよい。撮像条件の具体的な一例としては、絞りやシャッタースピードに基づく露出、光学ズームやデジタルズーム等の拡大率、ＩＳＯ感度、ホワイトバランス等が挙げられる。
【００４３】
また、撮像部３５は、制御部３１からの指示に基づき、所謂スルー画像（例えば、間引き画像）を撮像し、撮像したスルー画像を制御部３１に逐次出力してもよい。
【００４４】
記憶部３７は、撮像された画像を記録するための記録媒体である。記憶部３７は、撮像装置３０に内蔵された記録媒体として構成され得る。また、記憶部３７は、撮像装置３０に対して着脱可能な外部記録媒体として構成されていてもよい。
【００４５】
なお、図３に示す例では、撮像装置３０が撮像部３５を内蔵する構成例について示しているが、撮像部３５は、撮像装置３０の外部に設けられていてもよい。同様に、図３に示す例では、撮像装置３０が記憶部３７を内蔵する構成例について示しているが、記憶部３７は、撮像装置３０の外部に設けられていてもよい。
【００４６】
操作部３９は、ユーザが撮像装置３０を操作するための構成である。操作部３９の具体的な一例として、ボタンやスイッチ等のような入力デバイスが挙げられる。
【００４７】
制御部３１は、ネットワークｎ１１を介して接続された情報処理端末１０と、操作部３９とのうち、少なくともいずれかを介したユーザからの指示に基づき、撮像部３５の動作を制御可能に構成されている。制御部３１は、処理実行部３１１と、転送制御部３１３とを含む。
【００４８】
処理実行部３１１は、ネットワークｎ１１を介した情報処理端末１０からの指示を受けて、当該指示に対応する機能を実行することで、撮像部３５の動作を制御する。また、処理実行部３１１は、操作部３９に対するユーザの操作を受けて、当該操作部３９にあらかじめ対応付けられた機能を実行することで、撮像部３５の動作を制御する。
【００４９】
なお、処理実行部３１１は、連続撮影（連写）、ブラケット撮影、及び動画撮影等の各種動作モードに応じて、撮像部３５の動作の制御内容を切り替えてもよい。この場合には、例えば、処理実行部３１１は、あらかじめ設定された動作モードに応じた機能を実行することで、当該動作モードに応じた制御を実現してもよい。
【００５０】
また、処理実行部３１１は、撮像装置３０の状態に応じて、少なくとも一部の動作モードに応じた機能の実行を制限（抑制）してもよい。例えば、連続撮影（連写）、ブラケット撮影、及び動画撮影は、撮像された一連の画像を保持または記録するために、１枚の静止画像を撮像する場合に比べてより多くの記憶領域が必要となる。そのため、処理実行部３１１は、例えば、撮像装置３０が、あらかじめ決められた容量以上の記憶領域を確保することが困難な状態では、動画像や複数の静止画像を撮像するモードでの動作を制限（抑制）してもよい。なお、撮像装置３０が、あらかじめ決められた容量以上の記憶領域を確保することが困難な状態の一例としては、撮像装置３０に対して外部記録媒体が装着されていない状態や、記録媒体（例えば、記憶部３７）の空き領域が不足している状態等が挙げられる。
【００５１】
転送制御部３１３は、処理実行部３１１からの制御に基づき撮像部３５により撮像された画像（静止画像、動画像、またはスルー画像）を取得し、取得した画像を、ネットワークｎ１１を介して情報処理端末１０に転送する。なお、転送制御部３１３のうち、撮像部３５により撮像された画像を取得する構成が、「取得部」の一例に相当する。
【００５２】
なお、本開示に係る転送制御部３１３は、動画像や複数の静止画像が一連の画像として撮像する動作モードで撮像部３５の動作が制御されている場合には、まず、撮像された一連の画像のサムネイル画像を情報処理端末１０に転送する。そして、転送制御部３１３は、当該一連の画像のうち、情報処理端末１０から指示された少なくとも一部の画像のみを、当該情報処理端末１０に転送する。なお、転送制御部３１３による、一連の画像の転送に係る処理の詳細については、第３の実施形態として別途後述する。
【００５３】
以上、図３を参照して、本実施形態に係る情報処理システム１の機能構成の一例について説明した。
【００５４】
［１．３．ハードウェア構成］
次に、図４を参照して、本実施形態に係る情報処理端末１０のハードウェア構成の一例について説明する。図４は、本実施形態に係る情報処理端末１０のハードウェア構成の一例を示した図である。
【００５５】
図４に示すように、本実施形態に係る情報処理端末１０は、プロセッサ９０１と、メモリ９０３と、ストレージ９０５と、操作デバイス９０７と、表示デバイス９０９と、通信デバイス９１３と、バス９１５とを含む。また、情報処理端末１０は、報知デバイス９１１を含んでもよい。
【００５６】
プロセッサ９０１は、例えばＣＰＵ（Central  Processing  Unit）、ＧＰＵ（Graphics  Processing  Unit）、ＤＳＰ（Digital  Signal  Processor）又はＳｏＣ（System  on  Chip）であってよく、情報処理端末１０の様々な処理を実行する。プロセッサ９０１は、例えば、各種演算処理を実行するための電子回路により構成することが可能である。なお、前述した制御部１１は、プロセッサ９０１により実現され得る。
【００５７】
メモリ９０３は、ＲＡＭ（Random  Access  Memory）及びＲＯＭ（Read  Only  Memory）を含み、プロセッサ９０１により実行されるプログラム及びデータを記憶する。ストレージ９０５は、半導体メモリ又はハードディスクなどの記憶媒体を含み得る。
【００５８】
操作デバイス９０７は、ユーザが所望の操作を行うための入力信号を生成する機能を有する。操作デバイス９０７は、例えば、タッチパネル、ボタン、及びスイッチなどユーザが情報を入力するための入力部と、ユーザによる入力に基づいて入力信号を生成し、プロセッサ９０１に供給する入力制御回路などから構成されてよい。例えば、前述した操作部１５３は、操作デバイス９０７により構成され得る。
【００５９】
表示デバイス９０９は、出力デバイスの一例であり、例えば、液晶ディスプレイ（ＬＣＤ：Liquid  Crystal  Display）装置、有機ＥＬ（ＯＬＥＤ：Organic  Light  Emitting  Diode）ディスプレイなどのデバイスであってよい。この場合には、表示デバイス９０９は、画面を表示することにより、ユーザに対して所定の情報を報知することができる。なお、前述した表示部１５１は、表示デバイス９０９により構成され得る。
【００６０】
報知デバイス９１１は、ＬＥＤ（Light  Emitting  Diode）のように、点灯又は点滅のパターンにより、所定の情報をユーザに報知するデバイスであってもよい。また、報知デバイス９１１は、スピーカ等のように、所定の音響信号を出力することで、所定の情報をユーザに報知するデバイスであってもよい。
【００６１】
通信デバイス９１３は、情報処理端末１０が備える通信手段であり、ネットワークを介して外部装置と通信する。通信デバイス９１３は、有線または無線用の通信インタフェースである。通信デバイス９１３を、無線通信インタフェースとして構成する場合には、当該通信デバイス９１３は、通信アンテナ、ＲＦ（Radio  Frequency）回路、ベースバンドプロセッサなどを含んでもよい。
【００６２】
通信デバイス９１３は、外部装置から受信した信号に各種の信号処理を行う機能を有し、受信したアナログ信号から生成したデジタル信号をプロセッサ９０１に供給することが可能である。なお、前述した通信部１３は、当該通信デバイス９１３により構成され得る。
【００６３】
バス９１５は、プロセッサ９０１、メモリ９０３、ストレージ９０５、操作デバイス９０７、表示デバイス９０９、報知デバイス９１１、及び通信デバイス９１３を相互に接続する。バス９１５は、複数の種類のバスを含んでもよい。
【００６４】
また、コンピュータに内蔵されるプロセッサ、メモリ、及びストレージなどのハードウェアを、上記した情報処理端末１０が有する構成と同等の機能を発揮させるためのプログラムも作成可能である。また、当該プログラムを記録した、コンピュータに読み取り可能な記憶媒体も提供され得る。
【００６５】
［１．４．まとめ］
以上、第１の実施形態として、図１〜図４を参照して、主に、本開示に係る情報システムの各種構成に着目して説明した。なお、以降では、本開示に係る情報処理システムの操作画面と、情報処理端末１０と撮像装置３０との間の画像の転送に係る処理とのそれぞれの詳細について、第２及び第３の実施形態として説明する。
【００６６】
＜２．第２の実施形態＞
［２．１．概要］
次に、第２の実施形態として、前述した第１の実施形態にて説明した情報処理システム１により、画像を撮像するための操作画面の一例について説明する。本実施形態では、情報処理端末１０等にＵＩとして設けられたタッチパネルを介した操作のように、ＧＵＩを介して、撮像装置３０等の所謂デジタルカメラに、複数の静止画像を一連の画像として撮像させるための操作画面の一例について説明する。
【００６７】
そこで、本実施形態に係る操作画面の特徴をよりわかりやすくするために、まず、本実施形態の課題について整理する。
【００６８】
所謂デジタルカメラのような撮像装置では、シャッターボタンを途中まで押し込む（所謂、半押し）ことで、オートフォーカス機能（以降では、「ＡＦ機能」と呼ぶ場合がある）により、被写体を撮像するための撮像光学系の焦点位置が制御され、シャッターボタンが最後まで押し込まれる（所謂、全押し）ことで画像が撮像される。なお、以降では、シャッターボタンが途中まで押し込まれた状態を「半押し状態」と記載し、シャッターボタンが最後まで押し込まれた状態を「全押し状態」と記載する場合がある。
【００６９】
ここで、タッチパネルを介した操作等のような、ＧＵＩを介した操作により、撮像装置３０に、ＡＦ機能を動作させたうえで画像を撮像させるための操作画面の一例について、１枚の静止画像を撮像させる場合を例に説明する。例えば、図５は、ＧＵＩを介した操作により、撮像装置３０に、ＡＦ機能を動作させたうえで１枚の静止画像を撮像させる場合の操作画面の一例を示している。図５に示す例では、情報処理端末１０は、撮像装置３０の動作を制御するためのインタフェースとして、表示部１５１にシャッターボタンｖ８０が表示された操作画面を表示させている。
【００７０】
次に、図６を参照して、図５に示した操作画面に基づき、撮像装置３０に、ＡＦ機能を動作させたうえで画像を撮像させるための操作方法の一例について説明する。図６は、ＧＵＩを介した操作により、撮像装置３０に、ＡＦ機能を動作させたうえで１枚の静止画像を撮像させる場合の操作方法の一例について説明するための説明図である。
【００７１】
図６に示す例では、まず左側の図に示すように、ユーザが指等の操作体ｕ１１によりシャッターボタンｖ８０を選択すると（例えば、タッチすると）、情報処理端末１０は、当該選択状態が保持されている間（即ち、ホールドされている間）に、撮像装置３０にＡＦ機能を動作させる。このとき、撮像装置３０は、あらかじめ決められたＡＦ機能の設定に基づき、撮像光学系及び撮像素子を介して取得した画像ｖ７０中のフォーカス位置ｖ６０を決定し、当該フォーカス位置ｖ６０で合焦するように撮像光学系の焦点位置を制御する。
【００７２】
そして、右側の図に示すように、ユーザがシャッターボタンｖ８０の選択状態を解除すると（例えば、ホールド状態を解除すると）、情報処理端末１０は、撮像装置３０に静止画像を撮像させる。
【００７３】
このように、ＧＵＩを介した操作では、所謂デジタルカメラのシャッターボタンによる半押し及び全押しを実現することが困難なため、例えば、所謂ホールド操作を半押し状態と対応付け、当該ホールド操作の解除を全押し状態と対応付けている。
【００７４】
一方で、所謂デジタルカメラのような撮像装置は、ＡＦ機能を動作させたうえで複数の静止画像を撮像する場合（例えば、連写モード）には、半押し状態でＡＦ機能を動作させ、全押し状態に移行することで画像の撮像、即ち、連写を開始する。そして、当該撮像装置は、全押し状態が保持される限りは開始した連写を継続し、全押し状態の解除、即ち、シャッターボタンが押されていない状態への遷移に伴い、継続中の連写を終了する。即ち、当該撮像装置では、「半押し状態」、「全押し状態の保持」、及び「全押し状態の解除」の３状態により、「ＡＦ機能の動作」、「連写の開始」、及び「連写の終了」の３つの動作を実現している。
【００７５】
これに対して、図５及び図６に示した操作画面及び操作方法では、前述したように表示部１５１に表示されたシャッターボタンｖ８０に対するホールド操作によりＡＦ機能が動作し、ホールド操作の解除により画像の撮像が行われる。即ち、図５及び図６に示す例では、シャッターボタンｖ８０に対する「ホールド操作」及び「当該ホールド操作の解除」の２状態を表現できるのみであり、「ＡＦ機能の動作」、「連写の開始」、及び「連写の終了」の３つの動作を実現することが困難である。
【００７６】
そこで、本実施形態では、ＧＵＩを介した操作により、撮像装置３０に、ＡＦ機能を動作させたうえで複数の静止画像を一連の画像として撮像させるための操作画面と、当該操作画面に基づく操作方法の一例について提案する。なお、以降では、本実施形態に係る操作画面及び操作方法の一例について詳細に説明する。
【００７７】
［２．２．操作画面の構成と操作方法］
まず、図７を参照して、本実施形態に係る操作画面として、表示部１５１に表示されたＧＵＩを介した操作により、撮像装置３０に、ＡＦ機能を動作させたうえで複数の静止画像を一連の画像として撮像させるための操作画面の一例について説明する。図７は、ＧＵＩを介した操作により、撮像装置３０に、ＡＦ機能を動作させたうえで複数の静止画像を一連の画像として撮像させるための操作画面の一例について説明するための説明図である。なお、以降の説明では、情報処理端末１０の表示部１５１の短尺方向をｘ軸、長尺方向をｙ軸として説明する。即ち、図７では、図面の横方向がｘ軸に相当し、図面の縦方向がｙ軸に相当する。
【００７８】
図７に示す例では、情報処理端末１０は、複数の静止画像を一連の画像として撮像させる動作モード（例えば、連写モード）の場合には、撮像装置３０の動作を制御するためのインタフェースとして、表示部１５１にスライドスイッチｖ１０が表示された操作画面を表示させる。スライドスイッチｖ１０は、表示オブジェクトｖ１１が、表示部１５１に対する所定の方向に沿って設定された複数の位置の間を移動可能に構成されている。例えば、図７に示す例では、ｘ軸に沿って位置ｖ１２０及びｖ１２１が設定されており、表示オブジェクトｖ１１は、位置ｖ１２０と位置ｖ１２１との間をｘ軸に沿って移動可能に構成されている。
【００７９】
また、図７に示すように、表示オブジェクトｖ１１には、撮像装置３０の動作モード（例えば、連写モード）を示すアイコンｖ１１１が提示されていてもよい。
【００８０】
次に、図８を参照して、図７に示した操作画面に基づき、撮像装置３０に、ＡＦ機能を動作させたうえで、複数の静止画像を一連の画像として撮像させるための操作方法の一例について説明する。図８は、ＧＵＩを介した操作により、撮像装置３０に、ＡＦ機能を動作させたうえで複数の静止画像を一連の画像として撮像させる場合の操作方法の一例について説明するための説明図である。
【００８１】
図８に示す例では、まず左側の図に示すように、表示オブジェクトｖ１１が位置ｖ１２０に位置する状態では、情報処理端末１０は、撮像装置３０による画像の撮像に係る動作の制御を開始していない。なお、位置ｖ１２０を、以降では「初期位置ｖ１２０」と記載する場合がある。
【００８２】
左側の図に示すように、ユーザが指等の操作体ｕ１１により、初期位置ｖ１２０に位置する表示オブジェクトｖ１１を選択し（例えば、タッチし）、当該選択状態が保持されると（即ち、ホールドされると）、情報処理端末１０は、撮像装置３０にＡＦ機能を動作させる。このとき、撮像装置３０は、例えば、あらかじめ決められたＡＦ機能の設定に基づき、撮像光学系及び撮像素子を介して取得した画像ｖ７０中のフォーカス位置ｖ６０を決定し、当該フォーカス位置ｖ６０で合焦するように撮像光学系の焦点位置を制御する。なお、このように、撮像装置３０がＡＦ機能に基づきフォーカス制御を行う状態が、「撮影準備状態」の一例に相当する。
【００８３】
次いで、中央の図に示すように、ユーザが、選択状態が保持された表示オブジェクトｖ１１を、位置ｖ１２１に向けてスライドするように移動させると、情報処理端末１０は、撮像装置３０に対して、あらかじめ決められた動作モード（以降では、「所定の動作モード」と記載する場合がある）に基づく動作の開始を指示する。換言すると、情報処理端末１０は、位置ｖ１２１へ表示オブジェクトｖ１１を移動させる操作を検知すると、所定の動作モードに基づく撮像装置３０の動作の制御を開始する。
【００８４】
例えば、図８に示す例では、所定の動作モードとして、複数の静止画像を一連の画像として撮像させる動作モード（例えば、連写モード）が設定されている。そのため、情報処理端末１０は、撮像装置３０に対して連写モードでの画像の撮像の開始を指示する。情報処理端末１０からの指示を受けて、撮像装置３０は、連写モードでの画像の撮像を開始し、当該連写モードでの撮像の終了が指示されるまで、当該撮像に係る動作を継続する。なお、当該動作モードは、例えば、ユーザによる事前の操作に基づき適宜変更可能に構成されていてもよい。
【００８５】
そして、右側の図に示すように、ユーザが、位置ｖ１２１に位置する表示オブジェクトｖ１１を再度初期位置ｖ１２０に移動させると、情報処理端末１０は、撮像装置３０に対して、継続中の所定の動作モードに基づく動作（即ち、従前に開始を指示した動作）の終了を指示する。換言すると、情報処理端末１０は、初期位置ｖ１２０へ表示オブジェクトｖ１１を移動させる操作を検知すると、従前に開始した所定の動作モードに基づく撮像装置３０の動作の制御を終了する。
【００８６】
次に、図９を参照して、表示部１５１に表示された操作画面中における、スライドスイッチｖ１０の表示位置の一例についてさらに詳しく説明する。図９は、操作画面中におけるスライドスイッチｖ１０の表示位置の一例について説明するための説明図であり、情報処理端末１０が縦向きに保持された場合と、横向きに保持された場合とにおけるスライドスイッチｖ１０の表示位置の一例について示している。なお、図９に示す例では、ｘ軸は、表示部１５１の短尺方向を示し、ｙ軸は、表示部１５１の長尺方向を示している。
【００８７】
例えば、図９に示す例の左側の図は、情報処理端末１０が縦向きに保持された場合について示している。ここで、情報処理端末１０が縦向きに保持された状態とは、表示部１５１の長尺方向（即ち、ｙ軸）が、ユーザから見た天地方向となるように、当該情報処理端末１０が保持されている状態を示している。図９の左側の図に示すように、情報処理端末１０が縦向きに保持された場合には、スライドスイッチｖ１０は、例えば、表示部１５１の下端の近傍に、表示オブジェクトｖ１１が左右方向に移動可能となるように表示される。
【００８８】
同様に、図９に示す例の右側の図は、情報処理端末１０が横向きに保持された場合について示している。ここで、情報処理端末１０が横向きに保持された状態とは、表示部１５１の短尺方向（即ち、ｘ軸）が、ユーザから見た天地方向となるように、当該情報処理端末１０が保持されている状態を示している。図９の右側の図に示すように、情報処理端末１０が横向きに保持された場合には、スライドスイッチｖ１０は、例えば、表示部１５１の右端の近傍に、表示オブジェクトｖ１１が上下方向に移動可能となるように表示される。
【００８９】
このように、図９に示す例では、情報処理端末１０が縦向き及び横向きのいずれの場合についても、スライドスイッチｖ１０は、表示部１５１の長尺方向（ｙ軸）のいずれかの端部近傍に、表示部１５１の短尺方向（ｘ軸）に沿って表示オブジェクトｖ１１が移動可能となるように表示される。換言すると、スライドスイッチｖ１０は、例えば、情報処理端末１０が縦向き及び横向きのいずれの場合についても、表示部１５１に対して所定の相対位置となるように、当該表示部１５１に表示される。このような構成により、ユーザは、情報処理端末１０を縦向き及び横向きのいずれの状態で保持した場合についても、直感的にスライドスイッチｖ１０の表示位置を認識することが可能となる。
【００９０】
なお、図９に示す例は、あくまで一例であり、スライドスイッチｖ１０の表示位置を限定するものではない。具体的な一例として、スライドスイッチｖ１０は、情報処理端末１０が縦向き及び横向きのいずれの場合についても、常にユーザから見て一定の向きとなるように表示されてもよい。
【００９１】
次に、図１０及び図１１を参照して、操作体ｕ１１を介したユーザ操作に基づく、スライドスイッチｖ１０の表示制御と、当該スライドスイッチｖ１０の表示制御に伴う情報処理端末１０の動作の一例についてさらに詳しく説明する。図１０及び図１１は、ユーザ操作に基づくスライドスイッチｖ１０の表示制御と、当該スライドスイッチｖ１０の表示制御に伴う情報処理端末１０の動作の一例について説明するための説明図である。
【００９２】
なお、図１０及び図１１は、いずれも、スライドスイッチｖ１０の表示オブジェクトｖ１１が、初期位置ｖ１２０から位置ｖ１２１に向けて移動するように、当該表示オブジェクトｖ１１が操作体ｕ１１により操作された場合について示している。図１０に示す例は、表示オブジェクトｖ１１の初期位置ｖ１２０からの移動量があらかじめ決められた閾値未満の場合について示している。また、図１１に示す例は、表示オブジェクトｖ１１の初期位置ｖ１２０からの移動量があらかじめ決められた閾値以上の場合について示している。なお、図１０及び図１１における参照符号ｖ１３は、表示オブジェクトｖ１１の初期位置ｖ１２０からの移動量が閾値以上となる境界を模式的に示している。
【００９３】
例えば、図１０に示す左側の図は、ユーザが指等の操作体ｕ１１により、初期位置ｖ１２０に位置する表示オブジェクトｖ１１をタッチすることで選択し、タッチした状態をホールドすることで、当該表示オブジェクトｖ１１を選択した状態を示している。図１０に示す例では、ユーザは、中央の図に示すように、タッチした表示オブジェクトｖ１１を、移動量が閾値を超えない範囲で、位置ｖ１２１に向けてスライドするように移動させ、その後、表示オブジェクトｖ１１のホールド状態を解除している。なお、表示オブジェクトｖ１１のホールド状態が解除されることで、表示オブジェクトｖ１１の選択状態が解除される。
【００９４】
即ち、図１０に示す例は、図１０の左側の図に示すように、初期位置ｖ１２０に位置する表示オブジェクトｖ１１が、中央の図に示すように、初期位置ｖ１２０からの移動量が閾値未満となる位置で選択状態が解除された（即ち、ホールド状態が解除された）場合を示している。
【００９５】
このとき、情報処理端末１０は、図１０の左側の図から中央の図に示すように、操作体ｕ１１による操作に基づく、位置ｖ１２１に向けた表示オブジェクトｖ１１の移動に伴い、所定の動作モード（例えば、連写モード）に基づく撮像装置３０の動作の制御を開始する。換言すると、情報処理端末１０は、位置ｖ１２１に向けた位置ｖ１２０からの表示オブジェクトｖ１１の移動に伴い、撮像装置３０に対して、所定の動作モードに基づく動作（即ち、従前に開始を指示した動作）の開始を指示する。
【００９６】
そして、図１０の中央の図に示すように、表示オブジェクトｖ１１が、初期位置ｖ１２０から位置ｖ１２１に向けて移動した状態（即ち、表示オブジェクトｖ１１が初期位置ｖ１２０に位置していない状態）が継続する限り、情報処理端末１０は、当該動作モードに基づく撮像装置３０の動作の制御を継続する。
【００９７】
図１０の中央の図に示すように、初期位置ｖ１２０からの移動量が閾値未満となる位置で表示オブジェクトｖ１１の選択状態が解除されると、情報処理端末１０は、右側の図に示すように、当該表示オブジェクトｖ１１を初期位置ｖ１２０に移動させる。このとき、情報処理端末１０は、選択状態が解除された（即ち、操作体ｕ１１によるホールド状態が解除された）表示オブジェクトｖ１１を、初期位置ｖ１２０に向けて移動するようにアニメーション表示させる。
【００９８】
そして、情報処理端末１０は、初期位置ｖ１２０への表示オブジェクトｖ１１の移動に伴い、継続中の所定の動作モードに基づく撮像装置３０の動作の制御を終了する。換言すると、情報処理端末１０は、初期位置ｖ１２０への表示オブジェクトｖ１１の移動に伴い、撮像装置３０に対して、継続中の所定の動作モードに基づく動作（即ち、従前に開始を指示した動作）の終了を指示する。
【００９９】
また他の一例として、図１１は、ユーザが、表示オブジェクトｖ１１を、移動量が閾値以上となるように、位置ｖ１２１に向けてスライドするように移動させた場合を示している。具体的には、図１１に示す左側の図は、ユーザが指等の操作体ｕ１１により、初期位置ｖ１２０に位置する表示オブジェクトｖ１１をタッチすることで選択し、タッチした状態をホールドすることで、当該表示オブジェクトｖ１１を選択した状態を示している。また、図１１に示す例では、ユーザは、中央の図に示すように、タッチした表示オブジェクトｖ１１を、移動量が閾値以上となるように、位置ｖ１２１に向けてスライドするように移動させ、その後、表示オブジェクトｖ１１のホールド状態を解除している。なお、表示オブジェクトｖ１１のホールド状態が解除されることで、表示オブジェクトｖ１１の選択状態が解除されることは、図１０に示す例と同様である。
【０１００】
即ち、図１１に示す例は、図１１の左側の図に示すように、初期位置ｖ１２０に位置する表示オブジェクトｖ１１が、中央の図に示すように、初期位置ｖ１２０からの移動量が閾値以上となる位置で選択状態が解除された（即ち、ホールド状態が解除された）場合を示している。
【０１０１】
このとき、情報処理端末１０は、図１１の左側の図から中央の図に示すように、操作体ｕ１１による操作に基づく、位置ｖ１２１に向けた表示オブジェクトｖ１１の移動に伴い、所定の動作モード（例えば、連写モード）に基づく撮像装置３０の動作の制御を開始する。そして、図１０の中央の図に示すように、表示オブジェクトｖ１１が、初期位置ｖ１２０から位置ｖ１２１に向けて移動した状態（即ち、表示オブジェクトｖ１１が初期位置ｖ１２０に位置していない状態）が継続する限り、情報処理端末１０は、当該動作モードに基づく撮像装置３０の動作の制御を継続する。なお、この動作は、図１０に示す例と同様である。
【０１０２】
図１１の中央の図に示すように、初期位置ｖ１２０からの移動量が閾値以上となる位置で表示オブジェクトｖ１１の選択状態が解除されると、情報処理端末１０は、右側の図に示すように、当該表示オブジェクトｖ１１を位置ｖ１２１に移動させる。このとき、情報処理端末１０は、選択状態が解除された（即ち、操作体ｕ１１によるホールド状態が解除された）表示オブジェクトｖ１１を、位置ｖ１２１に向けて移動するようにアニメーション表示させる。
【０１０３】
なお、位置ｖ１２１に移動した表示オブジェクトｖ１１は、当該位置ｖ１２１に位置する状態が保持される。そして、位置ｖ１２１に位置する状態が保持される限り、即ち、表示オブジェクトｖ１１が初期位置ｖ１２０に位置していない状態が継続する限り、情報処理端末１０は、所定の動作モードに基づく撮像装置３０の動作の制御を継続する。
【０１０４】
もちろん、位置ｖ１２１に位置する表示オブジェクトｖ１１が、操作体ｕ１１による操作に基づき、初期位置ｖ１２０に移動した場合には、情報処理端末１０は、継続中の所定の動作モードに基づく撮像装置３０の動作の制御を終了する。
【０１０５】
なお、図１０及び図１１を参照して上述した表示オブジェクトｖ１１の制御は、あくまで一例であり、必ずしも上記に説明したように、表示オブジェクトｖ１１を移動させるように表示を制御する態様に限定するものではない。表示オブジェクトｖ１１の移動量に関わらず、表示オブジェクトｖ１１の選択状態が解除された場合に、当該表示オブジェクトｖ１１を移動させずに、選択状態が解除された位置に保持してもよい。また、図１０及び図１１を参照して上述したように、表示オブジェクトｖ１１の表示を制御するか否かを、ユーザ操作に基づく事前の設定により切り替えられるようにしてもよい。
【０１０６】
以上、図７〜図１１を参照して、本実施形態に係る操作画面の一例と、当該操作画面に基づき、撮像装置３０に、ＡＦ機能を動作させたうえで複数の静止画像を一連の画像として撮像させる操作の一例について説明した。以上のような構成により、本実施形態に係る情報処理システム１は、タッチパネルを介した操作等のような、ＧＵＩを介した操作により、「ＡＦ機能の動作」、「連写の開始」、及び「連写の終了」の３つの動作それぞれを個別に実現することが可能となる。
【０１０７】
なお、上述したように、本実施形態に係る情報処理システム１は、前述したスライドスイッチｖ１０を入力インタフェースとしてユーザに提示することで、ＧＵＩを介した操作により、３つの異なる動作それぞれを個別に実現することが可能である。そのため、本実施形態に係る操作画面の適用先は、必ずしも、撮像装置３０に、ＡＦ機能を動作させたうえで複数の静止画像を一連の画像として撮像させる場合のみには限定されない。
【０１０８】
具体的な一例として、撮像装置３０に、バルブ撮影を行わせる場合の入力インタフェースとして、前述したスライドスイッチｖ１０をユーザに提示してもよい。この場合には、「ＡＦ機能の動作」、「バルブ撮影の開始（シャッターの開放）」、及び「バルブ撮影の終了（シャッター開放の終了）」の３つの動作それぞれを、前述したスライドスイッチｖ１０に対する各操作に割り当てればよい。
【０１０９】
［２．３．処理］
次に、図１２と前述した図８とを参照して、本実施形態に係る情報処理システム１の一連の処理の流れの一例について、撮像装置３０に、ＡＦ機能を動作させたうえで複数の静止画像を一連の画像として撮像させる場合（即ち、連写モード）を例に説明する。図１２は、本実施形態に係る情報処理システム１の一連の処理の流れの一例について説明するための説明図である。
【０１１０】
（ステップＳ１０１）
図８の左側の図に示すように、ユーザが指等の操作体ｕ１１により、初期位置ｖ１２０に位置する表示オブジェクトｖ１１を選択し（例えば、タッチし）、当該選択状態を保持したものとする。このとき、情報処理端末１０は、表示オブジェクトｖ１１に対するホールド操作を検知し、当該ホールド操作の検知に伴い、ネットワークｎ１１を介して接続された撮像装置３０に対して、ＡＦ機能に伴う焦点位置の制御を指示する。
【０１１１】
（ステップＳ３０１）
撮像装置３０は、ネットワークｎ１１を介して接続された情報処理端末１０から、焦点位置の制御が指示されると、あらかじめ決められたＡＦ機能の設定に基づき、撮像光学系及び撮像素子を介して取得した画像ｖ７０中のフォーカス位置ｖ６０を決定する。そして、撮像装置３０は、ＡＦ機能を動作させることで、決定した当該フォーカス位置ｖ６０で合焦するように撮像光学系の焦点位置を制御する。
【０１１２】
（ステップＳ１０３）
次いで、図８の中央の図に示すように、ユーザが、選択状態が保持された表示オブジェクトｖ１１を、位置ｖ１２１に向けてスライドするように移動させたものとする。このとき、情報処理端末１０は、表示オブジェクトｖ１１を位置ｖ１２１に向けて移動させるスライド操作を検知し、当該スライド操作の検知に伴い、表示オブジェクトｖ１１を位置ｖ１２１に移動させる。そして、初期位置ｖ１２０からの表示オブジェクトｖ１１の移動に伴い、情報処理端末１０は、撮像装置３０に対して、所定の動作モード（例えば、連写モード）に基づく動作の開始を指示する。
【０１１３】
（ステップＳ３０３）
撮像装置３０は、情報処理端末１０から、所定の動作モードに基づく動作の開始が指示されると、当該動作モードに基づき撮像部３５の動作の制御を開始する。具体的な一例として、当該動作モードが、複数の静止画像を一連の画像として撮像させる動作モード（例えば、連写モード）の場合には、撮像装置３０は、あらかじめ決められたシャッタースピードに基づき、撮像部３５に、静止画像を逐次撮像させる。なお、撮像装置３０は、開始した所定の動作モードに基づく撮像部３５の動作の制御を、当該動作モードに基づく動作の終了が指示されるまで継続する。
【０１１４】
（ステップＳ１０５）
そして、図８の右側の図に示すように、ユーザが、位置ｖ１２１に位置する表示オブジェクトｖ１１を再度初期位置ｖ１２０に移動させたものとする。このとき、情報処理端末１０は、表示オブジェクトｖ１１を位置ｖ１２１に向けて移動させるスライド操作を検知し、当該スライド操作の検知に伴い、表示オブジェクトｖ１１を初期位置ｖ１２０に移動させる。そして、初期位置ｖ１２０への表示オブジェクトｖ１１の移動に伴い、情報処理端末１０は、撮像装置３０に対して、継続中の所定の動作モードに基づく動作（即ち、従前に開始を指示した動作）の終了を指示する。
【０１１５】
（ステップＳ３０５）
撮像装置３０は、情報処理端末１０から、所定の動作モードに基づく動作の終了が指示されると、継続中の当該動作モードに基づく撮像部３５の動作の制御を終了する。具体的な一例として、撮像装置３０は、連写モードに基づき撮像部３５の動作を制御する場合には、あらかじめ決められたシャッタースピードに基づき静止画像を逐次撮像する撮像部３５に対して、当該静止画像の撮像に係る動作の終了を指示する。
【０１１６】
以上、図１２及び図８を参照して、本実施形態に係る情報処理システム１の一連の処理の流れの一例について、撮像装置３０に、ＡＦ機能を動作させたうえで複数の静止画像を一連の画像として撮像させる場合を例に説明した。
【０１１７】
［２．４．実施例］
＜＜２．４．１．実施例２−１：スライドスイッチの一例＞＞
次に、実施例２−１として、本実施形態に係るスライドスイッチｖ１０の他の一例について図１３、図１４、及び、図１５Ａ〜図１５Ｃを参照して説明する。
【０１１８】
例えば、図１３は、本実施形態に係るスライドスイッチｖ１０の一例を示した図である。なお、図１３に示すスライドスイッチを、前述した実施形態に係るスライドスイッチｖ１０と区別する場合には、「スライドスイッチｖ１０a」と記載する場合がある。また、図１３では、図面の横方向をｘ軸、縦方向をｙ軸として示している。
【０１１９】
図１３に示すスライドスイッチｖ１０ａでは、ｘ軸に沿って初期位置ｖ１２０と位置ｖ１２２と位置ｖ１２３とが設定されており、表示オブジェクトｖ１１は、初期位置ｖ１２０、位置ｖ１２２、及び位置ｖ１２３の間をｘ軸に沿って移動可能に構成されている。即ち、図１３に示すスライドスイッチｖ１０ａでは、初期位置ｖ１２０以外に、複数の位置（即ち、位置ｖ１２２及びｖ１２３）が設定されている。
【０１２０】
初期位置ｖ１２０以外の他の位置（即ち、位置ｖ１２２及びｖ１２３）には、それぞれ互いに異なる動作モードがあらかじめ関連付けられている。例えば、図１３に示すスライドスイッチｖ１０ａでは、位置ｖ１２２には、低速での連続撮影のモード（以降では、「低速連写モード」と記載する場合がある）が関連付けられている。また、位置ｖ１２３には、高速での連続撮影のモード（以降では、「高速連写モード」と記載する場合がある）が関連付けられている。
【０１２１】
この場合には、情報処理端末１０は、操作体ｕ１１を介したユーザ操作に基づく表示オブジェクトｖ１１の移動先となる位置に応じて、当該位置に関連付けられた動作モードに基づき撮像装置３０の動作を制御する。
【０１２２】
具体的には、初期位置ｖ１２０に位置する表示オブジェクトｖ１１が操作体ｕ１１により選択され、当該選択状態が保持されると、情報処理端末１０は、撮像装置３０にＡＦ機能を動作させる。
【０１２３】
そして、選択状態が保持された表示オブジェクトｖ１１が操作体ｕ１１を介したユーザ操作により位置ｖ１２２に移動すると、情報処理端末１０は、当該位置ｖ１２２に関連付けられた低速連写モードに基づく撮像装置３０の動作の制御を開始する。そして、情報処理端末１０は、表示オブジェクトｖ１１が位置ｖ１２２に位置する限り、低速連写モードに基づく撮像装置３０の動作の制御を継続する。
【０１２４】
同様に、選択状態が保持された表示オブジェクトｖ１１が操作体ｕ１１を介したユーザ操作により位置ｖ１２３に移動すると、情報処理端末１０は、当該位置ｖ１２３に関連付けられた高速連写モードに基づく撮像装置３０の動作の制御を開始する。そして、情報処理端末１０は、表示オブジェクトｖ１１が位置ｖ１２３に位置する限り、高速連写モードに基づく撮像装置３０の動作の制御を継続する。
【０１２５】
なお、位置ｖ１２２またはｖ１２３に位置する表示オブジェクトｖ１１が初期位置ｖ１２０に移動した場合には、前述した実施形態に係るスライドスイッチｖ１０を適用した場合と同様に、情報処理端末１０は、継続中の（従前に開始した）撮像装置３０の動作の制御を終了する。
【０１２６】
このような構成により、ユーザは、情報処理端末１０のタッチパネルを介した操作等のような、ＧＵＩを介した操作により、あらかじめ決められた複数の動作モードのうち、所望の動作モードに基づき撮像装置３０を動作させることが可能となる。
【０１２７】
なお、図１３に示す例では、初期位置ｖ１２０に対して、位置ｖ１２２及びｖ１２３の双方が同じ側（例えば、初期位置ｖ１２０に対して左側）に位置するように、各位置が設定されていた。しかしながら、図１３に示す例は、あくまで一例であり、初期位置ｖ１２０と、当該初期位置ｖ１２０以外の複数の位置との間の相対的な位置関係は、必ずしも図１３に示した、初期位置ｖ１２０と、位置ｖ１２２及びｖ１２３との間の位置関係には限定されない。
【０１２８】
例えば、図１４は、本実施形態に係るスライドスイッチｖ１０の他の一例を示した図である。なお、図１４に示すスライドスイッチを、前述した実施形態に係るスライドスイッチｖ１０と区別する場合には、「スライドスイッチｖ１０ｂ」と記載する場合がある。また、図１４に示すスライドスイッチｖ１０ｂは、撮像装置３０による動画像の撮像に係る動作を制御する場合のインタフェースの一例を示している。なお、図１４では、図１３と同様に、図面の横方向をｘ軸、縦方向をｙ軸として示している。
【０１２９】
図１４に示すスライドスイッチｖ１０ｂでは、初期位置ｖ１２０以外の他の位置ｖ１２４及びｖ１２５が、初期位置ｖ１２０を基準にしてｘ軸に沿って互いに逆側に位置するように、初期位置ｖ１２０と、位置ｖ１２４及びｖ１２５とが設定されている。そして、表示オブジェクトｖ１１は、初期位置ｖ１２０と、位置ｖ１２４及びｖ１２５との間を、ｘ軸に沿って移動可能に構成されている。
【０１３０】
位置ｖ１２４には、動画像を再生する際のコマ数よりも多いコマ数（フレーム数）で動画像を撮像する、所謂早回し撮影（オーバークランク）のモードが関連付けられている。また、位置ｖ１２５には、動画像を再生する際のコマ数よりも少ないコマ数（フレーム数）で動画像を撮像する、所謂遅回し撮影（アンダークランク）のモードが関連付けられている。また、表示オブジェクトｖ１１には、動画像の撮像を示すアイコンｖ１１２が提示されていてもよい。
【０１３１】
即ち、図１４に示す例では、表示オブジェクトｖ１１が初期位置ｖ１２０に位置する場合には、情報処理端末１０は、あらかじめ設定されたデフォルトのコマ数（例えば、再生時と同じコマ数）で動画像が撮像されるように、撮像装置３０の動作を制御する。
【０１３２】
また、表示オブジェクトｖ１１が操作体ｕ１１を介したユーザ操作により位置ｖ１２４に移動すると、情報処理端末１０は、当該位置ｖ１２４に関連付けられた早回し撮影のモードに基づく撮像装置３０の動作の制御を開始する。そして、情報処理端末１０は、表示オブジェクトｖ１１が位置ｖ１２４に位置する限り、早回し撮影のモードに基づく撮像装置３０の動作の制御を継続する。
【０１３３】
同様に、表示オブジェクトｖ１１が操作体ｕ１１を介したユーザ操作により位置ｖ１２５に移動すると、情報処理端末１０は、当該位置ｖ１２５に関連付けられた遅回し撮影のモードに基づく撮像装置３０の動作の制御を開始する。そして、情報処理端末１０は、表示オブジェクトｖ１１が位置ｖ１２５に位置する限り、遅回し撮影のモードに基づく撮像装置３０の動作の制御を継続する。
【０１３４】
なお、位置ｖ１２４またはｖ１２５に位置する表示オブジェクトｖ１１が初期位置ｖ１２０に移動した場合には、前述した実施形態に係るスライドスイッチｖ１０を適用した場合と同様に、情報処理端末１０は、継続中の（従前に開始した）撮像装置３０の動作の制御を終了する。即ち、図１４に示す例では、情報処理端末１０は、初期位置ｖ１２０への表示オブジェクトｖ１１の移動に伴い、あらかじめ設定されたデフォルトのコマ数で動画像が撮像されるように、撮像装置３０の動作を制御することとなる。
【０１３５】
以上、図１３及び図１４を参照して説明したように、初期位置ｖ１２０と、当該初期位置ｖ１２０以外の複数の位置との間の相対的な位置関係は必ずしも限定されず、想定される利用形態に応じて適宜変更してもよい。
【０１３６】
次に、図１５Ａを参照して、本実施形態に係るスライドスイッチｖ１０の他の一例について説明する。図１５Ａは、本実施形態に係るスライドスイッチｖ１０の他の一例を示した図である。なお、図１５Ａに示すスライドスイッチを、前述した実施形態に係るスライドスイッチｖ１０と区別する場合には、「スライドスイッチｖ１０ｃ」と記載する場合がある。また、図１５Ａに示すスライドスイッチｖ１０ｃは、撮像装置３０による複数の静止画像の撮像（例えば、連写）に係る動作を制御する場合のインタフェースの一例を示している。なお、図１５Ａでは、図１３及び図１４と同様に、図面の横方向をｘ軸、縦方向をｙ軸として示している。
【０１３７】
前述した図７、図１３、及び図１４に示した例では、スライドスイッチｖ１０の各位置は、所定の一軸（換言すると、所定の一方向）に沿って設定され、表示オブジェクトｖ１１は当該一軸に沿って移動可能に構成されていた。
【０１３８】
これに対して、図１５Ａに示すスライドスイッチｖ１０ｃでは、スライドスイッチｖ１０ｃの各位置が複数の軸に沿って配置され、表示オブジェクトｖ１１は、当該複数の軸それぞれに沿って移動可能に構成されている。
【０１３９】
具体的には、図１５Ａに示す例では、初期位置ｖ１２０を基点として、ｘ軸に沿って、位置ｖ１２２と位置ｖ１２３とが配置されている。また、初期位置ｖ１２０を基点として、ｙ軸に沿って、位置ｖ１２６と位置ｖ１２７とが配置されている。表示オブジェクトｖ１１は、初期位置ｖ１２０、位置ｖ１２２、及び位置ｖ１２３のそれぞれの間を、ｘ軸に沿って移動可能に構成されている。また、表示オブジェクトｖ１１は、初期位置ｖ１２０、位置ｖ１２６、及び位置ｖ１２７のそれぞれの間を、ｙ軸に沿って移動可能に構成されている。
【０１４０】
位置ｖ１２２及びｖ１２３のそれぞれには、図１３に示したスライドスイッチｖ１０ａと同様の動作モードが関連付けられている。即ち、位置ｖ１２２には、低速連写モードが関連付けられており、位置ｖ１２３には、高速連写モードが関連付けられている。なお、位置ｖ１２２及びｖ１２３のそれぞれに表示オブジェクトｖ１１を移動させた場合における情報処理端末１０の動作は、図１３にしましたスライドスイッチｖ１０ａの場合と同様のため、詳細な説明は省略する。
【０１４１】
また、図１５Ａに示すスライドスイッチｖ１０ｃでは、初期位置ｖ１２０を基準としてｙ軸に沿って設定された位置ｖ１２６及びｖ１２７のそれぞれには、拡大率（ズーム）の制御に係る動作モードが関連付けられている。即ち、位置ｖ１２６には、拡大率をテレ側（望遠側）にシフトさせる動作モードが関連付けられている。また、位置ｖ１２７には、拡大率をワイド側（広角側）にシフトさせる動作モードが関連付けられている。
【０１４２】
即ち、表示オブジェクトｖ１１が操作体ｕ１１を介したユーザ操作により位置ｖ１２６に移動すると、情報処理端末１０は、拡大率がテレ側にシフトするように、撮像装置３０に撮像光学系の位置（即ち、ズーム位置）を制御させる。なお、情報処理端末１０は、表示オブジェクトｖ１１が位置ｖ１２６に位置する限り、撮像光学系の位置が移動可能な範囲内において（即ち、撮像光学系がテレ端に到達するまで）は、撮像装置３０の拡大率の変更に係る動作の制御を継続する。
【０１４３】
また、表示オブジェクトｖ１１が操作体ｕ１１を介したユーザ操作により位置ｖ１２７に移動すると、情報処理端末１０は、拡大率がワイド側にシフトするように、撮像装置３０に撮像光学系の位置（即ち、ズーム位置）を制御させる。なお、情報処理端末１０は、表示オブジェクトｖ１１が位置ｖ１２７に位置する限り、撮像光学系の位置が移動可能な範囲内において（即ち、撮像光学系がワイド端に到達するまで）は、撮像装置３０の拡大率の変更に係る動作の制御を継続する。
【０１４４】
なお、位置ｖ１２６またはｖ１２７に位置する表示オブジェクトｖ１１が初期位置ｖ１２０に移動した場合には、前述した実施形態に係るスライドスイッチｖ１０を適用した場合と同様に、情報処理端末１０は、継続中の（従前に開始した）撮像装置３０の動作の制御を終了する。
【０１４５】
以上、スライドスイッチｖ１０ｃとして説明したように、初期位置ｖ１２０と、当該初期位置ｖ１２０以外の他の位置とが、複数の軸に沿って配置され、表示オブジェクトｖ１１は、当該複数の軸それぞれに沿って移動可能に構成されていてもよい。なお、図１５Ａに示す例では、表示オブジェクトｖ１１は、ｘ軸及びｙ軸の２軸に沿って移動可能に構成されていたが、軸の数や各軸の間の相対的な位置関係は図１５Ａに示す例には限定されないことは言うまでもない。即ち、表示オブジェクトｖ１１は、３軸以上の複数の軸それぞれに沿って移動可能に構成されていてもよく、軸の数や各軸の位置関係は、想定される利用形態に応じて適宜変更してもよい。
【０１４６】
次に、図１５Ｂを参照して、本実施形態に係るスライドスイッチｖ１０の他の一例について説明する。図１５Ｂは、本実施形態に係るスライドスイッチｖ１０の他の一例を示した図である。なお、図１５Ｂに示すスライドスイッチを、前述した実施形態に係るスライドスイッチｖ１０と区別する場合には、「スライドスイッチｖ１０ｄ」と記載する場合がある。また、図１５Ｂに示すスライドスイッチｖ１０ｄは、撮像装置３０による複数の静止画像の撮像（例えば、連写）に係る動作を制御する場合のインタフェースの一例を示している。なお、図１５Ｂでは、図１３、図１４、及び図１５Ａと同様に、図面の横方向をｘ軸、縦方向をｙ軸として示している。
【０１４７】
図１５Ｂに示すスライドスイッチｖ１０ｄでは、カギ状に折れ曲がった経路に沿って、初期位置ｖ１２０と、当該初期位置ｖ１２０とは異なる他の位置ｖ１３２とが設定されている。また、表示オブジェクトｖ１１は、当該カギ状に折れ曲がった経路に沿って、初期位置ｖ１２０と位置ｖ１３２との間を移動可能に構成されている。
【０１４８】
図１５Ｂに示す例では、初期位置ｖ１２０に位置する表示オブジェクトｖ１１が操作体ｕ１１により選択され、当該選択状態が保持されると、情報処理端末１０は、撮像装置３０にＡＦ機能を動作させる。
【０１４９】
そして、選択状態が保持された表示オブジェクトｖ１１が操作体ｕ１１を介したユーザ操作により初期位置ｖ１２０から移動すると、情報処理端末１０は、あらかじめ決められた動作モード（例えば、連写モード）に基づく撮像装置３０の動作の制御を開始する。
【０１５０】
なお、ユーザが、表示オブジェクトｖ１１を参照符号ｖ１３１で示された位置を超えない範囲で下方向にのみ移動させ、表示オブジェクトｖ１１のホールド状態を解除することで、当該表示オブジェクトｖ１１の選択状態を解除したものとする。この場合には、情報処理端末１０は、選択状態が解除された（即ち、操作体ｕ１１によるホールド状態が解除された）表示オブジェクトｖ１１を、初期位置ｖ１２０に向けて移動するようにアニメーション表示させる。
【０１５１】
そして、情報処理端末１０は、初期位置ｖ１２０への表示オブジェクトｖ１１の移動に伴い、継続中の所定の動作モードに基づく撮像装置３０の動作の制御を終了する。換言すると、情報処理端末１０は、初期位置ｖ１２０への表示オブジェクトｖ１１の移動に伴い、撮像装置３０に対して、継続中の所定の動作モード（例えば、連写モード）に基づく動作（即ち、従前に開始を指示した動作）の終了を指示する。
【０１５２】
また、ユーザが、表示オブジェクトｖ１１を、位置ｖ１３１に向けて下方向に移動させ、位置ｖ１３２に向けてさらに左方向に向けて移動させ、表示オブジェクトｖ１１のホールド状態を解除することで、当該表示オブジェクトｖ１１の選択状態を解除したものとする。この場合には、情報処理端末１０は、選択状態が解除された（即ち、操作体ｕ１１によるホールド状態が解除された）表示オブジェクトｖ１１を、位置ｖ１３２に向けて移動するようにアニメーション表示させる。
【０１５３】
なお、位置ｖ１３２に移動した表示オブジェクトｖ１１は、当該位置ｖ１３２に位置する状態が保持される。そして、位置ｖ１３２に位置する状態が保持される限り、即ち、表示オブジェクトｖ１１が初期位置ｖ１２０に位置していない状態が継続する限り、情報処理端末１０は、所定の動作モード（例えば、連写モード）に基づく撮像装置３０の動作の制御を継続する。
【０１５４】
もちろん、位置ｖ１３２に位置する表示オブジェクトｖ１１が、操作体ｕ１１による操作に基づき、初期位置ｖ１２０に移動した場合には、情報処理端末１０は、継続中の所定の動作モードに基づく撮像装置３０の動作の制御を終了する。
【０１５５】
以上、図１５Ｂを参照して説明したように、初期位置ｖ１２０と、当該初期位置ｖ１２０以外の他の位置とは、所定の経路に沿って設定されていれば、必ずしも所定の軸（例えば、ｘ軸やｙ軸）に沿って設定されている必要はない。なお、この場合には、表示オブジェクトｖ１１は、当該経路に沿って、初期位置ｖ１２０と、当該初期位置ｖ１２０以外の他の位置との間を移動可能に構成されていることとなる。
【０１５６】
次に、図１５Ｃを参照して、本実施形態に係るスライドスイッチｖ１０の他の一例について説明する。図１５Ｃは、本実施形態に係るスライドスイッチｖ１０の他の一例を示した図である。なお、図１５Ｃに示すスライドスイッチを、前述した実施形態に係るスライドスイッチｖ１０と区別する場合には、「スライドスイッチｖ１０ｅ」と記載する場合がある。また、図１５Ｂに示すスライドスイッチｖ１０ｅは、撮像装置３０による複数の静止画像の撮像（例えば、連写）に係る動作を制御する場合のインタフェースの一例を示している。なお、図１５Ｃでは、図１３、図１４、図１５Ａ、及び図１５Ｂと同様に、図面の横方向をｘ軸、縦方向をｙ軸として示している。
【０１５７】
図１５Ｃに示すスライドスイッチｖ１０ｅでは、図１５Ａに示したスライドスイッチｖ１０ｃと同様に、スライドスイッチｖ１０ｅの各位置が複数の軸に沿って配置され、表示オブジェクトｖ１１は、当該複数の軸それぞれに沿って移動可能に構成されている。
【０１５８】
具体的には、図１５Ｃに示す例では、初期位置ｖ１２０を基点として、ｘ軸に沿って、位置ｖ１３５が配置されている。また、初期位置ｖ１２０を基点として、ｙ軸に沿って、位置ｖ１３３と位置ｖ１３４とが配置されている。表示オブジェクトｖ１１は、初期位置ｖ１２０及び位置ｖ１３５の間を、ｘ軸に沿って移動可能に構成されている。また、表示オブジェクトｖ１１は、初期位置ｖ１２０、位置ｖ１３３、及び位置ｖ１３４のそれぞれの間を、ｙ軸に沿って移動可能に構成されている。
【０１５９】
位置ｖ１３３には、１枚の静止画像を撮像する、所謂単写モードが関連付けられている。また、位置ｖ１３４及びｖ１３５には、連写モードが関連付けられている。
【０１６０】
図１５Ｃに示す例では、初期位置ｖ１２０に位置する表示オブジェクトｖ１１が操作体ｕ１１により選択され、当該選択状態が保持されると、情報処理端末１０は、撮像装置３０にＡＦ機能を動作させる。
【０１６１】
そして、選択状態が保持された表示オブジェクトｖ１１が操作体ｕ１１を介したユーザ操作により位置ｖ１３３に移動すると、情報処理端末１０は、当該位置ｖ１３３に関連付けられた単写モードに基づき撮像装置３０に１枚の静止画像を撮像させる。なお、ユーザが、位置ｖ１３３に移動した表示オブジェクトｖ１１のホールド状態を解除した場合（即ち、選択状態を解除した場合）には、情報処理端末１０は、選択状態が解除された表示オブジェクトｖ１１を、初期位置ｖ１２０に向けて移動するようにアニメーション表示させてもよい。
【０１６２】
また、選択状態が保持された表示オブジェクトｖ１１が操作体ｕ１１を介したユーザ操作により位置ｖ１３４に移動すると、情報処理端末１０は、当該位置ｖ１３４に関連付けられた連写モードに基づき撮像装置３０の動作の制御を開始する。そして、情報処理端末１０は、表示オブジェクトｖ１１が位置ｖ１３４に位置する限り、連写モードに基づく撮像装置３０の動作の制御を継続する。
【０１６３】
なお、ユーザが、位置ｖ１３４に移動した表示オブジェクトｖ１１のホールド状態を解除した場合（即ち、選択状態を解除した場合）においても、情報処理端末１０は、選択状態が解除された表示オブジェクトｖ１１を、当該位置ｖ１３４に位置する状態を保持する。
【０１６４】
もちろん、位置ｖ１３４に位置する表示オブジェクトｖ１１が、操作体ｕ１１による操作に基づき、初期位置ｖ１２０に移動した場合には、情報処理端末１０は、継続中の連写モードに基づく撮像装置３０の動作の制御を終了する。
【０１６５】
同様に、選択状態が保持された表示オブジェクトｖ１１が操作体ｕ１１を介したユーザ操作により位置ｖ１３５に移動すると、情報処理端末１０は、当該位置ｖ１３５に関連付けられた連写モードに基づき撮像装置３０の動作の制御を開始する。そして、情報処理端末１０は、表示オブジェクトｖ１１が位置ｖ１３５に位置する限り、連写モードに基づく撮像装置３０の動作の制御を継続する。
【０１６６】
一方で、ユーザが、位置ｖ１３５に移動した表示オブジェクトｖ１１のホールド状態を解除した場合（即ち、選択状態を解除した場合）には、情報処理端末１０は、選択状態が解除された表示オブジェクトｖ１１を、初期位置ｖ１２０に向けて移動するようにアニメーション表示させる。
【０１６７】
そして、情報処理端末１０は、初期位置ｖ１２０への表示オブジェクトｖ１１の移動に伴い、継続中の所定の連写モードに基づく撮像装置３０の動作の制御を終了する。換言すると、情報処理端末１０は、初期位置ｖ１２０への表示オブジェクトｖ１１の移動に伴い、撮像装置３０に対して、継続中の所定の連写モードに基づく動作（即ち、従前に開始を指示した動作）の終了を指示する。
【０１６８】
以上、図１５Ｃを参照して説明したように、それぞれ異なる位置に同じ動作モードを関連付けてもよい。また、この場合には、情報処理端末１０は、図１５Ｃの位置ｖ１３４及びｖ１３５のそれぞれに表示オブジェクトｖ１１が移動した場合のように、各位置に応じて異なる操作態様をユーザに提供してもよい。
【０１６９】
以上、実施例２−１として、図１３、図１４、及び、図１５Ａ〜図１５Ｃを参照しながら、本実施形態に係るスライドスイッチｖ１０の一例について説明した。
【０１７０】
＜＜２．４．２．実施例２−２：撮像装置側の操作部との連携＞＞
次に、実施例２−２として、撮像装置３０側の操作部３９が操作された場合における、情報処理端末１０による、スライドスイッチｖ１０の表示制御の一例について説明する。
【０１７１】
前述したように、本実施形態に係る情報処理システム１では、撮像装置３０自体が、当該撮像装置３０を操作するためのインタフェースとして操作部３９を備えていてもよい。即ち、本実施形態に係る情報処理システム１では、ユーザは、情報処理端末１０を介した操作と、操作部３９を介した操作とのいずれによっても、撮像装置３０を操作することが可能な場合がある。
【０１７２】
即ち、ユーザは、例えば、情報処理端末１０を介した操作により撮像装置３０に連続撮影（即ち、連写）を開始させ、操作部３９を介した操作により、撮像装置３０に連続撮影を終了させるといった操作も可能である。そのため、このような状況を鑑みて、情報処理端末１０は、撮像装置３０側の操作部３９を介した操作により、当該撮像装置３０の動作状態が切り替わった場合に、当該動作状態に応じてスライドスイッチｖ１０の表示状態を切り替えてもよい。
【０１７３】
そこで、撮像装置３０側の操作部３９が操作された場合における、情報処理端末１０の、スライドスイッチｖ１０の表示制御の一例について図１６及び図１７を参照して以下に説明する。図１６及び図１７は、実施例２−２に係る情報処理端末１０の動作の一例について説明するための説明図であり、撮像装置３０側の操作部３９が操作された場合における、情報処理端末１０によるスライドスイッチｖ１０の表示制御の一例について示している。
【０１７４】
まず、図１６を参照して、撮像装置３０が連写モードでの動作中（即ち、連続撮影の継続中）に、操作部３９が操作された場合における、情報処理端末１０によるスライドスイッチｖ１０の表示制御の一例について説明する。なお、本説明では、操作部３９は、撮像装置３０の画像の撮像に係る動作を制御するためのインタフェース（例えば、シャッターボタン）であるものとして説明する。
【０１７５】
例えば、図１６の左側の図は、表示部１５１に表示されたスライドスイッチｖ１０の表示オブジェクトｖ１１を位置ｖ１２１に移動させる操作を受けて、情報処理端末１０が、連写モードに基づく撮像装置３０の動作の制御を開始した状態を示している。即ち、図１６の左側の図は、情報処理端末１０から指示に応じて、撮像装置３０が連写モードに基づき動作している状態（即ち、あらかじめ決められたシャッタースピードで、撮像部３５に静止画像を逐次撮像させている状態）を示している。
【０１７６】
このように、撮像装置３０が連写モードに基づき動作している状態で、図１６の中央の図に示すように、ユーザにより操作部３９が操作されることで、当該撮像装置３０に対して、連写モードに基づく動作の終了（即ち、複数の静止画像の撮像に動作の終了）が指示されたものとする。このとき、撮像装置３０は、操作部３９を介した操作を受けて、継続中の連写モードに基づく動作を終了し、当該連写モードに基づく動作の終了を、ネットワークｎ１１を介して情報処理端末１０に通知する。
【０１７７】
撮像装置３０から連写モードに基づく動作の終了が通知されると、情報処理端末１０は、図１６の右側の図に示すように、位置ｖ１２１に位置する表示オブジェクトｖ１１が初期位置ｖ１２０に移動するように、スライドスイッチｖ１０の表示を制御する。このような構成により、操作部３９を介した操作に応じて撮像装置３０が連写モードに基づく動作を終了した場合に、当該動作の終了に連動して、情報処理端末１０によりスライドスイッチｖ１０の表示が更新される。これにより、ユーザは、スライドスイッチｖ１０を操作することで、撮像装置３０に対して、改めて連写モードに基づく動作の開始（即ち、連続撮影の開始）を指示することも可能となる。
【０１７８】
次に、図１７を参照して、操作部３９を介した操作により、撮像装置３０が連写モードでの動作を開始した場合における、情報処理端末１０によるスライドスイッチｖ１０の表示制御の一例について説明する。
【０１７９】
例えば、図１７の左側の図は、情報処理端末１０が、連写モードに基づく撮像装置３０の動作の制御を開始していない状態、即ち、撮像装置３０による複数の静止画像の撮像に係る動作（即ち、連写モードに基づく動作）が開始されていない状態を示している。なお、このとき、情報処理端末１０の表示部１５１に表示されたスライドスイッチｖ１０の表示オブジェクトｖ１１は、初期位置ｖ１２０に位置している。
【０１８０】
このように、撮像装置３０が静止画像の撮像に係る動作を開始していない状態で、図１７の中央の図に示すように、ユーザにより操作部３９が操作されることで、当該撮像装置３０に対して連写モードに基づく動作の開始が指示されたものとする。このとき、撮像装置３０は、操作部３９を介した操作を受けて、連写モードに基づく動作を開始し、当該連写モードに基づく動作の開始を、ネットワークｎ１１を介して情報処理端末１０に通知する。
【０１８１】
撮像装置３０から連写モードに基づく動作の開始が通知されると、情報処理端末１０は、初期位置ｖ１２０に位置する表示オブジェクトｖ１１が位置ｖ１２１に移動するように、スライドスイッチｖ１０の表示を制御する。このような構成により、操作部３９を介した操作に応じて撮像装置３０が連写モードに基づく動作を開始した場合に、当該動作の開始に連動して、情報処理端末１０によりスライドスイッチｖ１０の表示が更新される。これにより、ユーザは、スライドスイッチｖ１０を操作することで、撮像装置３０に対して、開始した連写モードに基づく動作の終了（即ち、連続撮影の終了）を指示することも可能となる。
【０１８２】
以上、実施例２−２として、撮像装置３０側の操作部３９が操作された場合における、情報処理端末１０による、スライドスイッチｖ１０の表示制御の一例について説明した。なお、上記はあくまで一例であり、撮像装置３０の動作状態に応じて、情報処理端末１０がスライドスイッチｖ１０の表示を制御できれば、当該制御を実現するための構成及び方法や、当該制御の契機（例えば、トリガとなる処理や動作）は特に限定されない。
【０１８３】
例えば、情報処理端末１０が、撮像装置３０の動作状態を逐次監視し、監視結果に応じてスライドスイッチｖ１０の表示を制御してもよい。
【０１８４】
具体的な一例として、情報処理端末１０は、撮像装置３０が動画像や複数の静止画像を一連の画像として撮像するモードで動作することが困難な状態では、スライドスイッチｖ１０の表示を制限（抑制）してもよい。撮像装置３０が動画像や複数の静止画像を一連の画像として撮像するモードで動作することが困難な状態の一例としては、撮像装置３０に対して外部記録媒体が装着されていない状態や、記録媒体（例えば、記憶部３７）の空き領域が不足している状態等が挙げられる。このような構成により、情報処理端末１０は、撮像装置３０が動画像や複数の静止画像を一連の画像として撮像するモードで動作することが困難な場合に、ユーザが当該動作モードでの動作の指示を行えないように制限することが可能となる。
【０１８５】
［２．５．まとめ］
以上説明したように、本実施形態に係る情報処理端末１０は、撮像装置３０を操作するためのインタフェースとして、スライドスイッチｖ１０（例えば、図７及び図８参照）が表示された操作画面を、表示部１５１を介してユーザに提示する。このとき、スライドスイッチｖ１０は、所定の方向に沿って設定された初期位置ｖ１２０と当該初期位置ｖ１２０以外の他の位置ｖ１２１との間を、表示オブジェクトｖ１１が当該所定の方向に沿って移動可能に構成されている。
【０１８６】
このような構成により、情報処理端末１０は、表示オブジェクトｖ１１が初期位置ｖ１２０及び他の位置ｖ１２１それぞれに位置する状態と、表示オブジェクトｖ１１の選択状態が保持された状態（即ち、ホールドされた状態）との３状態を、それぞれ個別に認識することが可能となる。
【０１８７】
そのため、情報処理端末１０は、例えば、表示オブジェクトｖ１１が初期位置ｖ１２０及び他の位置ｖ１２１それぞれに位置する状態を、所定の動作モードに基づく撮像装置３０の動作の制御の開始と、当該制御の終了とに割り当てることも可能となる。また、このとき、情報処理端末１０は、表示オブジェクトｖ１１の選択状態が保持された状態を、撮像装置３０にＡＦ機能を動作させる制御に割り当てることも可能となる。
【０１８８】
即ち、本実施形態に係る情報処理システム１に依れば、例えば、複数の静止画像を一連の画像として撮像装置３０に撮像させる場合の、「ＡＦ機能の動作」、「連写の開始」、及び「連写の終了」の各動作を、ＧＵＩを介した操作により実現することが可能となる。
【０１８９】
もちろん、本実施形態に係るスライドスイッチｖ１０が表示された操作画面の適用先は、複数の静止画像を一連の画像として撮像させる場合（即ち、連写の場合）のみには限定されない。具体的な一例として、撮像装置３０に、バルブ撮影を行わせる場合の入力インタフェースとして、スライドスイッチｖ１０が表示された操作画面をユーザに提示してもよい。この場合には、「ＡＦ機能の動作」、「バルブ撮影の開始（シャッターの開放）」、及び「バルブ撮影の終了（シャッター開放の終了）」の３つの動作それぞれを、前述したスライドスイッチｖ１０に対する各操作に割り当てればよい。
【０１９０】
また、上記に示す例では、タッチパネルを介した操作により、撮像装置３０を操作する場合を例に説明したが、操作体ｕ１１によりスライドスイッチｖ１０を操作する態様であれば、必ずしもタッチパネルを介した操作には限定されない。具体的な一例として、マウスなどの操作デバイスによりポインタを操作することで、当該ポインタを操作体ｕ１１として、スライドスイッチｖ１０を操作する構成としてもよい。
【０１９１】
また、本実施形態に係るスライドスイッチｖ１０が表示された操作画面の適用先は、タッチパネルを介した操作等のように、ＧＵＩを介した操作により撮像装置の動作を制御する構成であれば、必ずしも上記に示した情報処理システム１の構成（図１参照）には限定されない。具体的な一例として、タッチパネルを備えた所謂デジタルカメラに対しても、スライドスイッチｖ１０が表示された操作画面を適用することで、上記に示した作用効果を奏することが可能であることは言うまでもない。
【０１９２】
＜３．第３の実施形態＞
［３．１．概要］
次に、第３の実施形態として、撮像装置３０により撮像された画像を情報処理端末１０に転送する場合における処理の一例について説明する。
【０１９３】
複数の静止画像を一連の画像として撮像する場合には、一連の画像として撮像される複数の静止画像のデータの容量（以降では、「データ量」と記載する場合がある）は、撮像される静止画像の枚数に応じて増大する。一方で、本開示に係る情報処理システム１（図１参照）のように、撮像装置３０と情報処理端末１０との間でネットワークｎ１１を介して画像を転送する構成では、転送対象となる画像のデータ量の増加（即ち、画像の枚数の増加）は、当該ネットワークｎ１１のトラフィックの増大につながる可能性がある。
【０１９４】
そのため、当該情報処理システム１により、複数の静止画像を撮像する場合には、撮像装置３０で撮像された一連の画像の転送によりネットワークｎ１１の輻輳が生じ、撮像装置３０と情報処理端末１０との間の情報の送受信が圧迫される場合がある。
【０１９５】
特に、情報処理端末１０と撮像装置３０との間では、撮像装置３０により撮像された画像以外にも、情報処理端末１０側に表示させるスルー画像や、情報処理端末１０から撮像装置３０の動作を制御するための制御情報等が、ネットワークｎ１１を介して送受信される。そのため、ネットワークｎ１１を介して接続された撮像装置３０と情報処理端末１０との間で、撮像された画像を効率よく転送することが可能な仕組みが求められている。
【０１９６】
そこで、本実施形態に係る情報処理システム１は、撮像装置３０により一連の画像（例えば、複数の静止画像）を撮像させた場合に、撮像された画像を、ネットワークｎ１１を介して情報処理端末１０に効率的に転送する仕組み（即ち、ネットワークｎ１１のトラフィックを軽減する仕組み）を提供する。
【０１９７】
例えば、図１８は、本実施形態に係る情報処理システム１の概要について説明するための説明図であり、撮像装置３０により一連の画像として撮像された複数の静止画像を情報処理端末１０に転送する場合の操作の流れの一例を示している。
【０１９８】
図１８の左側の図は、複数の静止画像を一連の画像として撮像するモード（例えば、連写モード）に基づき画像の撮像を継続する撮像装置３０に対して、ユーザが情報処理端末１０を介して、当該画像の撮像の終了を指示した状態を示している。
【０１９９】
具体的には、ユーザが、位置ｖ１２１に位置する表示オブジェクトｖ１１を初期位置ｖ１２０に移動させると、情報処理端末１０は、撮像装置３０に対して、継続中の所定の動作モードに基づく動作（例えば、連写モードに基づく動作）の終了を指示する。この指示を受けて、撮像装置３０は、継続中の画像の撮像に係る処理を終了し、撮像された一連の画像（即ち、複数の静止画像）を、例えば、記憶部３７等の記録媒体に保持または記録する。
【０２００】
撮像装置３０は、情報処理端末１０からの指示に基づき一連の画像の撮像を終了すると、撮像された一連の画像それぞれのサムネイル画像を生成する。
【０２０１】
なお、本説明では、サムネイル画像とは、複数の画像を一覧表示するために縮小された画像を示し、特に、撮像された画像に対して、データ量がより削減されるように加工された画像を示している。もちろん、データ量がより削減されれば、サムネイル画像の生成方法は特に限定されない。具体的な一例として、撮像装置３０は、画像のサイズ（寸法）を小さくすることでサムネイル画像を生成してもよいし、画像の解像度を小さくすることでサムネイル画像を生成してもよい。
【０２０２】
そして、図１８の中央の図に示すように、撮像装置３０は、撮像された画像それぞれについて生成した一連のサムネイル画像を、ネットワークｎ１１を介して情報処理端末１０に転送する。
【０２０３】
情報処理端末１０は、撮像装置３０から一連のサムネイル画像を取得すると、取得した当該サムネイル画像それぞれを選択可能に、表示部１５１に表示させる。例えば、図１８の中央の図に示す例では、情報処理端末１０は、取得した各サムネイル画像ｖ３１を選択可能に提示した一覧ｖ３０を、表示部１５１に表示させている。
【０２０４】
そして、情報処理端末１０は、表示部１５１を介して提示した一連のサムネイル画像ｖ３１のうち、少なくとも一部のサムネイル画像に対する選択をユーザから受け付ける。例えば、図１８の中央の図に示す例では、情報処理端末１０は、一覧ｖ３０中に提示されたサムネイル画像ｖ３１のうち、ユーザが指等の操作体ｕ１１によりタッチしたサムネイル画像を、ユーザにより選択されたサムネイル画像として認識している。なお、以降では、ユーザにより選択されたサムネイル画像を、「サムネイル画像ｖ３３」と記載する場合がある。
【０２０５】
情報処理端末１０は、表示部１５１を介して提示した一連のサムネイル画像ｖ３１のうち、少なくとも一部のサムネイル画像ｖ３３の選択を受けると、図１８の右側の図に示すように、選択されたサムネイル画像ｖ３３に対応する画像ｖ３３’の転送を撮像装置３０に指示する。この指示を受けて、撮像装置３０は、撮像された一連の画像（即ち、一連のサムネイル画像の生成元である画像）から、ユーザにより選択されたサムネイル画像ｖ３３に対応する画像ｖ３３’を抽出し、抽出した画像ｖ３３’を情報処理端末１０に転送する。
【０２０６】
なお、撮像装置３０は、サムネイル画像ｖ３３に対応する画像ｖ３３’を情報処理端末１０に転送する際に、撮像された画像の縮小画像（例えば、スクリーンネイル）を生成し、当該縮小画像を画像ｖ３３’として情報処理端末１０に転送してもよいことは言うまでもない。
【０２０７】
以上のような構成により、本実施形態に係る情報処理システム１は、撮像装置３０により撮像された一連の画像のうち、ユーザにより選択された画像のみを縮小せずに、撮像装置３０から情報処理端末１０に転送することが可能となる。そのため、本実施形態に係る情報処理システム１は、撮像装置３０により撮像された一連の画像すべてを縮小せずに情報処理端末１０に転送する場合に比べて、撮像装置３０と情報処理端末１０との間のトラフィックが軽減される。即ち、本実施形態に係る情報処理システム１は、撮像装置３０と情報処理端末１０との間で、撮像された画像を効率よく転送することが可能となる。
【０２０８】
［３．２．処理］
次に、図１９を参照して、本実施形態に係る情報処理システム１の一連の処理の流れの一例について、撮像装置３０により撮像された画像が情報処理端末１０に転送される処理に着目して説明する。図１９は、本実施形態に係る情報処理システム１の一連の処理の流れの一例について説明するための説明図である。
【０２０９】
（ステップＳ３０５）
撮像装置３０は、情報処理端末１０から、継続中の所定の動作モードに基づく動作（例えば、連写モードに基づく動作）の終了が指示されると、継続中の画像の撮像に係る処理を終了し、撮像された一連の画像（即ち、複数の静止画像）を、例えば、記憶部３７等の記録媒体に保持または記録する。
【０２１０】
（ステップＳ３０７）
そして、撮像装置３０は、情報処理端末１０からの指示に基づき一連の画像の撮像を終了すると、撮像された一連の画像それぞれのサムネイル画像を生成し、生成した一連のサムネイル画像を、ネットワークｎ１１を介して情報処理端末１０に転送する。
【０２１１】
（ステップＳ１０７）
情報処理端末１０は、撮像装置３０から一連のサムネイル画像を取得すると、取得した当該サムネイル画像それぞれを選択可能に、表示部１５１に表示させる。
【０２１２】
（ステップＳ１０９）
情報処理端末１０は、表示部１５１を介して提示した一連のサムネイル画像ｖ３１のうち、少なくとも一部のサムネイル画像に対する選択をユーザから受け付ける。
【０２１３】
そして、情報処理端末１０は、表示部１５１を介して提示した一連のサムネイル画像ｖ３１のうち、少なくとも一部のサムネイル画像ｖ３３の選択を受けると、選択されたサムネイル画像ｖ３３に対応する画像ｖ３３’の転送を撮像装置３０に指示する。
【０２１４】
（ステップＳ３０９）
この指示を受けて、撮像装置３０は、撮像された一連の画像（即ち、一連のサムネイル画像の生成元である画像）のうち、ユーザにより選択されたサムネイル画像ｖ３３に対応する画像ｖ３３’
を抽出し、抽出した画像ｖ３３’を情報処理端末１０に転送する。
【０２１５】
以上のように、本実施形態に係る情報処理システム１では、撮像装置３０は、連写モード等の所定の動作モードに基づき、複数の静止画像を一連の画像として撮像すると、まず、当該一連の画像それぞれのサムネイル画像を生成する。そして、撮像装置３０は、生成したサムネイル画像を情報処理端末１０に転送する。これにより、ユーザは、情報処理端末１０の表示部１５１に提示されたサムネイル画像に基づき、撮像装置３０により撮像された一連の画像のうち、所望の画像を選択することが可能となる。
【０２１６】
そして、撮像装置３０は、撮像した一連の画像のうち、情報処理端末１０を介してユーザに選択された画像のみを当該情報処理端末１０に転送する。
【０２１７】
このような構成により、本実施形態に係る情報処理システム１は、撮像装置３０により撮像された一連の画像のうち、ユーザにより選択された画像のみを縮小せずに、撮像装置３０から情報処理端末１０に転送することが可能となる。
【０２１８】
なお、撮像装置３０は、生成した一連のサムネイル画像の転送中（図１９のステップＳ３０７）に、情報処理端末１０から画像の撮像に係る新たな指示を受けた場合には、当該サムネイル画像の転送を中断または中止してもよい。なお、サムネイル画像の転送を中断した場合には、撮像装置３０は、情報処理端末１０からの新たな指示に基づく画像の撮像が完了した後に、中断したサムネイル画像の転送（即ち、従前に撮像した画像から生成したサムネイル画像の転送）を再開してもよい。
【０２１９】
同様に、撮像装置３０は、撮像した一連の画像のうち、情報処理端末１０を介してユーザにより選択された画像ｖ３３’の転送中（図１９のステップＳ３０９）に、情報処理端末１０から画像の撮像に係る新たな指示を受けた場合には、当該画像ｖ３３’の転送を中断または中止してもよい。なお、画像ｖ３３’の転送を中断した場合には、撮像装置３０は、情報処理端末１０からの新たな指示に基づく画像の撮像が完了した後に、中断した画像ｖ３３’の転送を再開してもよい。
【０２２０】
また、情報処理端末１０は、撮像装置３０から取得したサムネイル画像の提示中に、撮像装置３０から新たにサムネイル画像を取得した場合には、従前に取得したサムネイル画像の提示を中断または中止し、新たに取得したサムネイル画像をユーザに提示してもよい。なお、従前に取得したサムネイル画像の提示を中断した場合には、情報処理端末１０は、新たに取得したサムネイル画像の提示の完了後（例えば、画像の選択の完了後）に、当該従前に取得したサムネイル画像をユーザに再度提示してもよい。
【０２２１】
以上、図１９を参照して、本実施形態に係る情報処理システム１の一連の処理の流れの一例について、撮像装置３０により撮像された画像が情報処理端末１０に転送される処理に着目して説明した。
【０２２２】
［３．３．実施例３］
次に、実施例３として、撮像装置３０により撮像された動画像を情報処理端末１０に転送する場合の一例について説明する。
【０２２３】
動画像を一連の画像として撮像する場合には、一連の画像として撮像される動画像のデータ量は、当該動画像の撮像時間に応じて増大する。そのため、当該情報処理システム１により、動画像を撮像する場合には、撮像装置３０で撮像された一連の画像（即ち、動画像）の転送によりネットワークｎ１１の輻輳が生じ、撮像装置３０と情報処理端末１０との間の情報の送受信が圧迫される場合がある。
【０２２４】
そこで、実施例３に係る情報処理システム１として、図２０を参照して、撮像装置３０に動画像を撮像させた場合に、撮像された動画像を、ネットワークｎ１１を介して情報処理端末１０に効率的に転送する仕組み（即ち、ネットワークｎ１１のトラフィックを軽減する）の一例について説明する。図２０は、実施例３に係る情報処理システム１の概要について説明するための説明図である。
【０２２５】
図２０において、参照符号ｄ１０は、撮像装置３０により撮像された動画像を模式的に示したものであり、図面の横方向は時間軸を示している。また、参照符号ｄ３０ａ〜ｄ３０ｄは、動画像ｄ１０から、時間軸に沿って一部を切り出した部分的な動画像を模式的に示している。また、参照符号ｄ３１ａ〜ｄ３１ｄは、動画像ｄ１０中の一部のフレーム（即ち、静止画像）を模式的に示している。なお、動画像ｄ３０ａ〜ｄ３０ｄを特に区別しない場合には、単に「動画像ｄ３０」と記載する場合がある。同様に、フレームｄ３１ａ〜ｄ３１ｄを特に区別しない場合には、単に「フレームｄ３１」と記載する場合がある。
【０２２６】
本実施形態に係る撮像装置３０は、情報処理端末１０からの指示に基づき動画像の撮像を終了すると、撮像した一連の画像（即ち、動画像ｄ１０）を、例えば、記憶部３７等の記録媒体に保持または記録する。
【０２２７】
撮像装置３０は、情報処理端末１０からの指示に基づき動画像ｄ１０の撮像を終了すると、撮像された動画像ｄ１０から、一部のフレームを複数抽出する。図２０に示す例では、撮像装置３０は、動画像ｄ１０から、フレームｄ３１ａ〜ｄ３１ｄを抽出している。そして、撮像装置３０は、抽出したフレームｄ３１ａ〜ｄ３１ｄそれぞれのサムネイル画像を生成し、生成した一連のサムネイル画像を、ネットワークｎ１１を介して情報処理端末１０に転送する。
【０２２８】
なお、撮像装置３０が、撮像した動画像ｄ１０から、一部のフレーム（例えば、フレームｄ３１ａ〜ｄ３１ｄ）を抽出する方法は、運用にあわせて適宜変更すればよい。具体的な一例として、撮像装置３０は、所定の時間幅ごとに、動画像ｄ１０から一部のフレームを抽出してもよい。また、他の一例として、撮像装置３０は、動画像ｄ１０の各フレームを解析し、シーンが大きく変化しているタイミングを基点とて、シーンごとにフレームを抽出してもよい。もちろん、上記に示したフレームの抽出方法はあくまで一例であり、上記に示す例には限定されない。また、撮像装置３０は、複数の方法を組み合わせて、動画像ｄ１０から、一部のフレームを抽出してもよい。
【０２２９】
情報処理端末１０は、撮像装置３０から一連のサムネイル画像を取得すると、取得した当該サムネイル画像それぞれを選択可能に、表示部１５１に表示させる。このとき、情報処理端末１０は、例えば、図１８を参照して前述した実施形態の場合と同様に、取得した各サムネイル画像ｖ３１を選択可能に提示した一覧ｖ３０を、表示部１５１に表示させる。例えば、参照符号ｖ３１ａ〜ｖ３１ｄは、フレームｄ３１ａ〜ｄ３１ｄそれぞれのサムネイル画像を示している。なお、サムネイル画像ｖ３１ａ〜ｖ３１ｄを特に区別しない場合には、単に「サムネイル画像ｖ３１」と記載する場合がある。
【０２３０】
そして、情報処理端末１０は、表示部１５１を介して提示した一連のサムネイル画像ｖ３１のうち、少なくとも一部のサムネイル画像に対する選択をユーザから受け付ける。そして、情報処理端末１０は、表示部１５１を介して提示した一連のサムネイル画像ｖ３１のうち、少なくとも一部のサムネイル画像ｖ３３の選択を受けると、選択されたサムネイル画像ｖ３３に対応する動画像の転送を撮像装置３０に指示する。なお、本説明では、一覧ｖ３０中のサムネイル画像ｖ３０ａ〜ｖ３０ｄのうちサムネイル画像ｖ３０ｂが指定されたものとして説明する。
【０２３１】
情報処理端末１０からの指示を受けて、撮像装置３０は、撮像した動画像ｄ１０のうち、指定されたサムネイル画像ｖ３１に対応するフレームを、一連のサムネイル画像ｖ３１の生成元であるフレームｄ３１から特定する。即ち、サムネイル画像ｖ３１ｂが指定された場合には、撮像装置３０は、当該サムネイル画像ｖ３１ｂの生成元であるフレームｄ３１ｂを特定する。
【０２３２】
そして、撮像装置３０は、撮像した動画像ｄ１０から、特定したフレームｄ３１を含む一部の動画像ｄ３０を抽出する。例えば、フレームｄ３１ｂを特定した場合には、撮像装置３０は、当該フレームｄ３１ｂを含む部分的な動画像ｄ３０ｂを、撮像した動画像ｄ１０から抽出する。
【０２３３】
なお、撮像装置３０が、動画像ｄ１０から部分的な動画像ｄ３０を抽出する際の当該動画像ｄ３０の時間幅の設定方法は特に限定されない。具体的な一例として、撮像装置３０は、撮像した動画像ｄ１０から、特定したフレームｄ３１を含む所定の時間幅の部分的な動画像ｄ３０を抽出してもよい。また、他の一例として、撮像装置３０は、特定したフレームｄ３１から、当該フレームｄ３１に隣接する他のフレームｄ３１までを部分的な動画像ｄ３０として抽出してもよい。もちろん、上記に示した方法はあくまで一例であり、撮像装置３０が、動画像ｄ１０から、特定したフレームｄ３１を含む部分的な動画像ｄ３０を抽出できれば、その方法は特に限定されない。
【０２３４】
撮像装置３０は、特定したフレームｄ３１に基づき、撮像した動画像ｄ１０から部分的な動画像ｄ３０を抽出すると、当該部分的な動画像ｄ３０を、ネットワークｎ１１を介して情報処理端末１０に転送する。
【０２３５】
以上のような構成により、実施例３に係る情報処理システム１は、撮像装置３０により撮像された動画像ｄ１０のうち、ユーザにより選択されたフレームｄ３１を含む部分的な動画像のみを縮小せずに、撮像装置３０から情報処理端末１０に転送することが可能となる。そのため、実施例３に係る情報処理システム１は、撮像装置３０により撮像された動画像ｄ１０全体を縮小せずに情報処理端末１０に転送する場合に比べて、撮像装置３０と情報処理端末１０との間のトラフィックが軽減される。即ち、実施例３に係る情報処理システム１は、撮像装置３０と情報処理端末１０との間で、撮像された動画像を効率よく転送することが可能となる。
【０２３６】
［３．４．まとめ］
以上、説明したように、本実施形態に係る情報処理システム１は、撮像装置３０により撮像された一連の画像のうち、ユーザにより選択された画像のみを縮小せずに、撮像装置３０から情報処理端末１０に転送することが可能となる。そのため、本実施形態に係る情報処理システム１は、撮像装置３０により撮像された一連の画像すべてを縮小せずに情報処理端末１０に転送する場合に比べて、撮像装置３０と情報処理端末１０との間のトラフィックが軽減される。即ち、本実施形態に係る情報処理システム１は、撮像装置３０と情報処理端末１０との間で、撮像された画像を効率よく転送することが可能となる。
【０２３７】
＜４．まとめ＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２３８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２３９】
なお、以下のような構成も本開示の技術的範囲に属する。
（１）
所定の軸に沿って設定された複数の位置の間を、表示オブジェクトが移動可能に構成されたスライドスイッチが、表示画面の一部に表示されるように表示部を制御する表示制御部と、
前記表示オブジェクトを、前記複数の位置のうち少なくともいずれかの位置へ移動させる操作を受けて、撮像部の動作を、あらかじめ決められた動作モードに基づき制御する処理実行部と、
を備えた、情報処理装置。
（２）
前記処理実行部は、前記複数の位置のうちいずれかの位置を第１の位置として、当該第１の位置から、当該複数の位置のうち前記第１の位置とは異なる第２の位置へ、前記表示オブジェクトを移動させる操作を受けて、前記動作モードに基づく前記撮像部の動作の制御を開始する、前記（１）に記載の情報処理装置。
（３）
前記処理実行部は、前記第２の位置から前記第１の位置へ前記表示オブジェクトを移動させる操作を受けて、開始された前記動作モードに基づく前記撮像部の動作の制御を終了する、前記（２）に記載の情報処理装置。
（４）
前記表示制御部は、前記表示オブジェクトを移動させる操作を受け付ける第１の操作部とは異なる、前記撮像部を操作するための第２の操作部を介した操作を受けて、前記表示オブジェクトを移動させる、前記（３）に記載の情報処理装置。
（５）
前記表示制御部は、前記第２の操作部を介した、前記動作モードに基づく前記撮像部の動作の制御を開始するための操作を受けて、前記第１の位置に位置する前記表示オブジェクトが、前記第２の位置に移動するよう制御する、前記（４）に記載の情報処理装置。
（６）
前記表示制御部は、前記第２の操作部を介した、開始された前記動作モードに基づく前記撮像部の動作の制御を終了するための操作を受けて、前記第２の位置に位置する前記表示オブジェクトが、前記第１の位置に移動するように制御する、前記（４）に記載の情報処理装置。
（７）
前記処理実行部は、
前記第１の位置に位置する前記表示オブジェクトが操作体により選択された状態を保持する操作を受けて、前記撮像部が画像を撮像するための準備状態に遷移するように、当該撮像部の動作を制御し、
前記操作体により選択された前記表示オブジェクトを前記第１の位置から前記第２の位置へ移動させる操作を受けて、前記所定の動作モードに基づき、前記撮像部に画像を撮像させる、前記（２）〜（６）のいずれか一項に記載の情報処理装置。
（８）
前記処理実行部は、前記準備状態に遷移した前記撮像部に、被写体を撮像するための撮像光学系の焦点位置を制御させる、前記（７）に記載の情報処理装置。
（９）
前記動作モードは、操作部を介したユーザからの指示に基づき事前に設定される、前記（１）〜（８）のいずれか一項に記載の情報処理装置。
（１０）
前記スライドスイッチは、前記第１の位置と、複数の前記第２の位置とのそれぞれの間を、前記表示オブジェクトが移動可能に構成され、
前記第２の位置それぞれには、複数の前記動作モードのうちいずれかの動作モードがあらかじめ関連付けられ、
前記処理実行部は、前記第１の位置から前記複数の第２の位置のうちのいずれかへ前記表示オブジェクトを移動させる操作を受けて、当該表示オブジェクトの移動先となる前記第２の位置に関連付けられた前記動作モードに基づき、前記撮像部の動作を制御する、前記（２）〜（８）のいずれか一項に記載の情報処理装置。
（１１）
前記スライドスイッチは、前記表示オブジェクトが、第１の軸に沿って配置された複数の位置の間と、当該第１の軸とは異なる第２の軸に沿って配置された複数の位置の間とを移動可能に構成され、
前記処理実行部は、前記第１の軸に沿って配置された前記位置へ前記表示オブジェクトを移動させる操作を受けた場合と、前記第２の軸に沿って配置された前記位置へ前記表示オブジェクトを移動させる操作を受けた場合とで、互いに異なる動作モードに基づき、前記撮像部の動作を制御する、前記（１）〜（１０）のいずれか一項に記載の情報処理装置。
（１２）
前記動作モードは、前記撮像部に、複数枚の静止画像を一連の画像として連続して撮像させるモードを含む、前記（１）〜（１１）のいずれか一項に記載の情報処理装置。
（１３）
前記動作モードは、前記撮像部に、露光の開始及び終了を指示可能なバルブ撮影を実行させるモードを含む、前記（１）〜（１１）のいずれか一項に記載の情報処理装置。
（１４）
前記動作モードは、前記撮像部に、動画像を撮像させるモードを含む、前記（１）〜（１１）のいずれか一項に記載の情報処理装置。
（１５）
前記処理実行部は、ネットワークを介して接続された外部装置に設けられた前記撮像部の動作を、当該ネットワークを介して制御する、前記（１）〜（１４）のいずれか一項に記載の情報処理装置。
（１６）
前記処理実行部は、同一筐体内に設けられた前記撮像部の動作を制御する、前記（１）〜（１４）のいずれか一項に記載の情報処理装置。
（１７）
前記表示制御部は、互いに隣接する前記位置のうち一方の位置から他方の位置に向けた方向へ前記表示オブジェクトを移動させる操作を受けて、当該表示オブジェクトの移動量が閾値未満の場合には、当該表示オブジェクトを前記一方の位置へ移動させる、前記（１）〜（１６）のいずれか一項に記載の情報処理装置。
（１８）
前記表示制御部は、前記撮像部により撮像された画像のデータを記録する装置に対して着脱可能に構成された可搬性の補助記憶媒体の、当該装置に対する着脱状態に応じて、前記スライドスイッチの表示を制御する、前記（１）〜（１７）のいずれか一項に記載の情報処理装置。
（１９）
コンピュータに、
所定の軸に沿って設定された複数の位置の間を、表示オブジェクトが移動可能に構成されたスライドスイッチが、表示画面の一部に表示されるように表示部を制御することと、
前記表示オブジェクトを、前記複数の位置のうち少なくともいずれかの位置へ移動させる操作を受けて、撮像部の動作を、あらかじめ決められた動作モードに基づき制御することと、
を実行させる、プログラム。
（２０）
所定の軸に沿って設定された複数の位置の間を、表示オブジェクトが移動可能に構成されたスライドスイッチが、表示画面の一部に表示されるように表示部を制御することと、
プロセッサが、前記表示オブジェクトを、前記複数の位置のうち少なくともいずれかの位置へ移動させる操作を受けて、撮像部の動作を、あらかじめ決められた動作モードに基づき制御することと、
を含む、情報処理方法。
【符号の説明】
【０２４０】
１      情報処理システム
１０    情報処理端末
１１    制御部
１１１  処理実行部
１１３  表示制御部
１３    通信部
１５    ＵＩ
１５１  表示部
１５３  操作部
３０    撮像装置
３１    制御部
３１１  処理実行部
３１３  転送制御部
３３    通信部
３５    撮像部
３７    記憶部
３９    操作部
【図１】
0006520949.tif 000002
【図２】
0006520949.tif 000003
【図３】
0006520949.tif 000004
【図４】
0006520949.tif 000005
【図５】
0006520949.tif 000006
【図６】
0006520949.tif 000007
【図７】
0006520949.tif 000008
【図８】
0006520949.tif 000009
【図９】
0006520949.tif 000010
【図１０】
0006520949.tif 000011
【図１１】
0006520949.tif 000012
【図１２】
0006520949.tif 000013
【図１３】
0006520949.tif 000014
【図１４】
0006520949.tif 000015
【図１５Ａ】
0006520949.tif 000016
【図１５Ｂ】
0006520949.tif 000017
【図１５Ｃ】
0006520949.tif 000018
【図１６】
0006520949.tif 000019
【図１７】
0006520949.tif 000020
【図１８】
0006520949.tif 000021
【図１９】
0006520949.tif 000022
【図２０】
0006520949.tif 000023